(57)【要約】  適応ミューティングを伴う協調スケジューリングに関連したシステム、方法、装置、及びコンピュータプログラム製品が提供される。ある方法は、ネットワーク要素のセルに関連したアクションを行い及び／又は第２のネットワーク要素のセルに関連したアクションを行うときにネットワーク要素のセルに対して計算されたインパクト情報をネットワーク要素により送信することを含む。又、この方法は、ある環境のもとで第２のネットワーク要素のセルに関連したアクションを行うための要求を送信することも含む。【選択図】      図８
2016535537.tif 000002
【特許請求の範囲】
【請求項１】
ネットワーク要素のセルに関連したアクションを行うとき及び／又は第２のネットワーク要素のセルに関連したアクションを行うときネットワーク要素のセルに対して計算されたインパクト情報、及び
前記第２のネットワーク要素のセルに関連したアクションを行うための要求、
のうちの少なくとも１つを送信するための送信手段、
を備えたネットワーク要素。
【請求項２】
前記アクションは、
送信をミュートすること、
オン期間を変更すること、
送信電力を減少すること、又は
送信をビームフォーミングすること、
のうちの少なくとも１つを含む、請求項１に記載のネットワーク要素。
【請求項３】
前記インパクト情報は、利益／ペナルティ情報を含む、請求項１又は２に記載のネットワーク要素。
【請求項４】
前記利益／ペナルティ情報は、更に、要素のリストを含み、そして前記要素の各々は、リソースのセットに対する利益／ペナルティ情報に関する情報を表す、請求項３に記載のネットワーク要素。
【請求項５】
前記利益／ペナルティ情報は、更に、
アクションに対するリソースの量、
アクションに対する特定周波数リソースの指示、
アクションに対する特定周波数サブ帯域リソースの指示、
ビームフォーミング係数の指示、
アクションに対する特定時間の指示、又は
アクションに対する期間の指示、
のうちの少なくとも１つを含む、請求項３又は４に記載のネットワーク要素。
【請求項６】
前記ネットワーク要素は、更に、
前記計算されたインパクト情報に基づいて正味利益を計算するための計算手段、
を備え、前記送信手段は、その正味利益を前記第２のネットワーク要素に送信する、請求項１から５のいずれかに記載のネットワーク要素。
【請求項７】
前記インパクト情報は、プライオリティファクタを含む、請求項１から６のいずれかに記載のネットワーク要素。
【請求項８】
前記プライオリティファクタは、
物理的ダウンリンク制御チャンネル／エンハンスト物理的ダウンリンク制御チャンネルの混雑、
レンジ拡張の使用、
チャンネルの形式、及び
データチャンネル送信のサービス品質特性、
のうちの少なくとも１つに基づく、請求項７に記載のネットワーク要素。
【請求項９】
第２のネットワーク要素のセルに関連したアクションを行うとき及び／又はネットワーク要素のセルに関連したアクションを行うときの第２のネットワーク要素のセルに対するインパクト情報、
前記ネットワーク要素のセルに関連したアクションを行うための前記第２のネットワーク要素からの要求、及び
前記ネットワーク要素のセルに関連したアクションを行うための中央ネットワーク要素からのコマンド、
のうちの少なくとも１つを受信するための受信手段；及び
受信した前記インパクト情報、コマンド、又は要求のうちの少なくとも１つに基づいてネットワーク要素のセルに関連したアクションを行うためのアクション実行手段；
を備えたネットワーク要素。
【請求項１０】
前記受信したインパクト情報及び計算されたペナルティ／利益情報に基づきアクションを行うためのペナルティ／利益、及び正味利益を計算するための計算手段；及び
前記計算された正味利益に基づきアクションを行うかどうか決定するための決定手段；
を更に備えた、請求項９に記載のネットワーク要素。
【請求項１１】
前記計算された正味利益を少なくとも１つの他のネットワーク要素に送信する送信手段を更に備えた、請求項１０に記載のネットワーク要素。
【請求項１２】
アクションを行うべきかどうかの前記決定は、更に、
受信手段を経て、少なくとも１つの他のネットワーク要素から正味利益情報を受信し；及び
前記計算された正味利益と、前記少なくとも１つの他のネットワーク要素から受信した正味利益情報との比較に基づき、アクションを行うことを決定する；
ことを含む、請求項１０又は１１に記載のネットワーク要素。
【請求項１３】
前記受信したインパクト情報は、利益／ペナルティ情報を含む、請求項９から１２のいずれかに記載のネットワーク要素。
【請求項１４】
前記受信したインパクト情報は、プライオリティファクタを含む、請求項９から１３のいずれかに記載のネットワーク要素。
【請求項１５】
前記プライオリティファクタは、
物理的ダウンリンク制御チャンネル／エンハンスト物理的ダウンリンク制御チャンネルの混雑、
レンジ拡張の使用、
チャンネルの形式、及び
データチャンネル送信のサービス品質特性、
のうちの少なくとも１つに基づく、請求項１４に記載のネットワーク要素。
【請求項１６】
第１のネットワーク要素のセルに関連したアクションを行うとき又は第２のネットワーク要素のセルに関連したアクションを行うときの第１のネットワーク要素のセルに対するインパクト情報、及び
前記第１のネットワーク要素のセル又は第２のネットワーク要素のセルに関連したアクションを行うための要求、
のうちの少なくとも１つを第１のネットワーク要素から受信するための受信手段；及び
受信した前記インパクト情報及び／又は要求に基づいて前記第１のネットワーク要素のセル又は第２のネットワーク要素のセルに関連したアクションを行うコマンドを送信するための送信手段；
を備えた集中型ネットワーク要素。
【請求項１７】
前記インパクト情報は、利益情報、ペナルティ情報、又は正味利益情報の少なくとも１つを含む、請求項１６に記載の集中型ネットワーク要素。
【請求項１８】
前記インパクト情報は、プライオリティファクタを含む、請求項１６又は１７に記載の集中型ネットワーク要素。
【請求項１９】
前記プライオリティファクタは、
物理的ダウンリンク制御チャンネル／エンハンスト物理的ダウンリンク制御チャンネルの混雑、
レンジ拡張の使用、
チャンネルの形式、及び
データチャンネル送信のサービス品質特性、
のうちの少なくとも１つに基づく、請求項１８に記載の集中型ネットワーク要素。
【請求項２０】
ネットワーク要素のセルに関連したアクションを行い及び／又は第２のネットワーク要素のセルに関連したアクションを行うときにネットワーク要素のセルに対して計算されたインパクト情報、及び
前記第２のネットワーク要素のセルに関連したアクションを行う要求、
のうちの少なくとも１つをネットワーク要素により送信することを含む方法。
【請求項２１】
前記アクションは、
送信をミュートすること、
オン期間を変更すること、
送信電力を減少すること、又は
送信をビームフォーミングすること、
のうちの少なくとも１つを含む、請求項２０に記載の方法。
【請求項２２】
前記インパクト情報は、利益／ペナルティ情報を含む、請求項２０又は２１に記載の方法。
【請求項２３】
前記利益／ペナルティ情報は、更に、
アクションに対するリソースの量、
アクションに対する特定周波数リソースの指示、
アクションに対する特定周波数サブ帯域リソースの指示、
ビームフォーミング係数の指示、
アクションに対する特定時間の指示、又は
アクションに対する期間の指示、
のうちの少なくとも１つを含む、請求項２２に記載の方法。
【請求項２４】
前記計算されたインパクト情報に基づいて正味利益を計算し、及び
その正味利益を前記第２のネットワーク要素に送信する、
ことを更に含む、請求項２０から２３のいずれかに記載の方法。
【請求項２５】
前記インパクト情報は、プライオリティファクタを含む、請求項２０から２４のいずれかに記載の方法。
【請求項２６】
前記プライオリティファクタは、
物理的ダウンリンク制御チャンネル／エンハンスト物理的ダウンリンク制御チャンネルの混雑、
レンジ拡張の使用、
チャンネルの形式、及び
データチャンネル送信のサービス品質特性、
のうちの少なくとも１つに基づく、請求項２５に記載の方法。
【請求項２７】
第２のネットワーク要素のセルに関連したアクションを行うとき及び／又はネットワーク要素のセルに関連したアクションを行うときの第２のネットワーク要素のセルに対するインパクト情報、
前記ネットワーク要素のセルに関連したアクションを行うための前記第２のネットワーク要素からの要求、及び
前記ネットワーク要素のセルに関連したアクションを行うための中央ネットワーク要素からのコマンド、
のうちの少なくとも１つをネットワーク要素により受信し；及び
受信した前記インパクト情報、コマンド、又は要求のうちの少なくとも１つに基づいてネットワーク要素のセルに関連したアクションを行う；
ことを含む方法。
【請求項２８】
アクションを行うためのペナルティ／利益を計算し、
前記受信したインパクト情報及び前記計算されたペナルティ／利益情報に基づいて正味利益を計算し、及び
前記計算された正味利益に基づきアクションを行うかどうか決定する、
ことを更に含む、請求項２７に記載の方法。
【請求項２９】
アクションを行うべきかどうかの前記決定は、更に、
少なくとも１つの他のネットワーク要素から正味利益情報を受信し；及び
前記計算された正味利益と、前記少なくとも１つの他のネットワーク要素から受信した正味利益情報との比較に基づき、アクションを行うことを決定する；
ことを含む、請求項２８に記載の方法。
【請求項３０】
前記受信したインパクト情報は、利益／ペナルティ情報を含む、請求項２７から２９のいずれかに記載の方法。
【請求項３１】
前記受信したインパクト情報は、プライオリティファクタを含む、請求項２７から３０のいずれかに記載の方法。
【請求項３２】
前記プライオリティファクタは、
物理的ダウンリンク制御チャンネル／エンハンスト物理的ダウンリンク制御チャンネルの混雑、
レンジ拡張の使用、
チャンネルの形式、及び
データチャンネル送信のサービス品質特性、
のうちの少なくとも１つに基づく、請求項３１に記載の方法。
【請求項３３】
第１のネットワーク要素のセルに関連したアクションを行うとき又は第２のネットワーク要素のセルに関連したアクションを行うときの第１のネットワーク要素のセルに対するインパクト情報、及び
前記第１のネットワーク要素のセル又は第２のネットワーク要素のセルに関連したアクションを行うための要求、
のうちの少なくとも１つを第１のネットワーク要素から集中型ネットワーク要素によって受信し；及び
前記受信したインパクト情報及び／又は要求に基づいて前記第１のネットワーク要素のセル又は第２のネットワーク要素のセルに関連したアクションを行うためのコマンドを送信する；
ことを含む方法。
【請求項３４】
前記インパクト情報は、利益情報、ペナルティ情報、又は正味利益情報の少なくとも１つを含む、請求項３３に記載の方法。
【請求項３５】
前記インパクト情報は、プライオリティファクタを含む、請求項３３又は３４に記載の方法。
【請求項３６】
前記プライオリティファクタは、
物理的ダウンリンク制御チャンネル／エンハンスト物理的ダウンリンク制御チャンネルの混雑、
レンジ拡張の使用、
チャンネルの形式、及び
データチャンネル送信のサービス品質特性、
のうちの少なくとも１つに基づく、請求項３５に記載の方法。
【発明の詳細な説明】
【技術分野】
【０００１】
本発明は、一般に、移動通信ネットワークに関するもので、例えば、ユニバーサル移動テレコミュニケーションズシステム（ＵＭＴＳ）地上無線アクセスネットワーク（ＵＴＲＡＮ）、長期進化（ＬＴＥ）進化型ＵＴＲＡＮ（Ｅ−ＵＴＲＡＮ）、及び／又はＬＴＥ−Ａに関するが、これに限定されない。
【背景技術】
【０００２】
ユニバーサル移動テレコミュニケーションズシステム（ＵＭＴＳ）地上無線アクセスネットワーク（ＵＴＲＡＮ）は、ベースステーション又はノードＢ、及び例えば、無線ネットワークコントローラ（ＲＮＣ）を含む通信ネットワークを指す。ＵＴＲＡＮは、ユーザ装置（ＵＥ）とコアネットワークとの間の接続を許す（ＵＥは、一般に、ユーザデバイス又は単にユーザのみとしても知られている）。ＲＮＣは、１つ以上のノードＢのための制御機能を果たす。ＲＮＣ及びそれに対応するノードＢは、無線ネットワークサブシステム（ＲＮＳ）と称される。Ｅ−ＵＴＲＡＮ（エンハンストＵＴＲＡＮ）の場合は、ＲＮＣが存在せず、ＲＮＣ機能のほとんどは、エンハンストノードＢ（ｅＮｏｄｅＢ又はｅＮＢ）に含まれる。
【０００３】
長期進化（ＬＴＥ）又はＥ−ＵＴＲＡＮは、効率及びサービス改善、低コスト、並びに新規スペクトル機会の使用を通してＵＭＴＳを改善することを指す。特に、ＬＴＥとは、少なくとも５０メガビット／秒（Ｍｂｐｓ）のアップリンクピークレート及び少なくとも１００Ｍｂｐｓのダウンリンクピークレートを与える３ＧＰＰ規格である。ＬＴＥは、２０ＭＨｚから１．４ＭＨｚまでの拡張可能なキャリア帯域巾をサポートすると共に、周波数分割デュープレクス（ＦＤＤ）及び時分割デュープレクス（ＴＤＤ）の両方をサポートする。
【０００４】
前記のように、ＬＴＥは、ネットワーク内のスペクトル効率も改善し、キャリアが所与の帯域巾にわたりより多くのデータ及び音声サービスを提供できるようにする。それ故、ＬＴＥは、大容量の音声サポートに加えて高速データ及び媒体搬送の必要性を満足するように設計される。ＬＴＥの効果は、例えば、スループットが高く、レイテンシーが低く、同じプラットホームでＦＤＤ及びＴＤＤがサポートされ、エンドユーザ経験が改善され、及び簡単なアーキテクチャーの結果として運転コストが低下する、ことを含む。
【０００５】
３ＧＰＰ  ＬＴＥの更なるリリース（例えば、ＬＴＥ  Ｒｅｌ−１０、ＬＴＥ  Ｒｅｌ−１１、ＬＴＥ  Ｒｅｌ−１２）は、将来の国際移動テレコミュニケーション進歩型（ＩＭＴ−Ａ）システム、ここでは便宜上、単にＬＴＥ進歩型（ＬＴＥ−Ａ）と称される、を目標としている。
【０００６】
ＬＴＥ−Ａは、３ＧＰＰ  ＬＴＥ無線アクセステクノロジーの拡張及び最適化に向けられる。ＬＴＥ−Ａの目標は、コスト減少と共に高いデータレート及び低いレイテンシーにより著しく向上したサービスを提供することである。又、ＬＴＥ−Ａは、上位互換性を保ちながら、ＩＭＴ進歩型のための国際テレコミュニケーションユニオン−無線（ＩＴＵ−Ｒ）要件を満足する高最適化の無線システムである。
【発明の概要】
【０００７】
ある実施形態は、少なくとも１つのプロセッサと、コンピュータプログラムコードを含む少なくとも１つのメモリとを備えたネットワーク要素に向けられる。少なくとも１つのメモリ及びコンピュータプログラムコードは、少なくとも１つのプロセッサとで、ネットワーク要素が、少なくとも、ネットワーク要素のセルに関連したアクションを行うとき及び／又は第２のネットワーク要素のセルに関連したアクションを行うときのネットワーク要素のセルに対する計算されたインパクト情報、及び第２ネットワーク要素のセルに関連したアクションを行う要求、の少なくとも１つを送信するようにさせるよう構成される。
【０００８】
別の実施形態は、少なくとも１つのプロセッサと、コンピュータプログラムコードを含む少なくとも１つのメモリとを備えたネットワーク要素に向けられる。少なくとも１つのメモリ及びコンピュータプログラムコードは、少なくとも１つのプロセッサとで、ネットワーク要素が、少なくとも、ネットワーク要素のセルに関連したアクションを行うとき及び／又は第２ネットワーク要素のセルに関連したアクションを行うときの第２ネットワーク要素のセルに対するインパクト情報、ネットワーク要素のセルに関連したアクションを行うための第２ネットワーク要素からの要求、及びネットワーク要素のセルに関連したアクションを行うための中央ネットワーク要素からのコマンド、の少なくとも１つを受信するようにさせるよう構成される。ネットワーク要素は、更に、受信したインパクト情報、コマンド又は要求の少なくとも１つに基づいてネットワーク要素のセルに関連したアクションを行うようにされる。
【０００９】
別の実施形態は、少なくとも１つのプロセッサと、コンピュータプログラムコードを含む少なくとも１つのメモリとを備えた集中型ネットワーク要素に向けられる。少なくとも１つのメモリ及びコンピュータプログラムコードは、少なくとも１つのプロセッサとで、集中型ネットワーク要素が、少なくとも、第１ネットワーク要素のセルに関連したアクションを行うとき又は第２ネットワーク要素のセルに関連したアクションを行うときの第１ネットワーク要素のセルに対するインパクト情報、及び第２ネットワーク要素のセルに関連したアクションを行う要求、の少なくとも１つを第１ネットワーク要素から受信するようにさせるように構成される。集中型ネットワーク要素は、更に、受信したインパクト情報及び／又は要求に基づいて第２ネットワーク要素のセルに関連したアクションを行うコマンドを送信するようにされる。
【００１０】
別の実施形態は、ネットワーク要素のセルに関連したアクションを行うとき及び／又は第２ネットワーク要素のセルに関連したアクションを行うときのネットワーク要素のセルに対する計算されたインパクト情報の少なくとも１つを送信するための送信手段と、第２ネットワーク要素のセルに関連したアクションを要求するための要求手段とを備えたネットワーク要素に向けられる。
【００１１】
別の実施形態は、ネットワーク要素のセルに関連したアクションを行うとき及び／又は第２ネットワーク要素のセルに関連したアクションを行うときの第２ネットワーク要素のセルに対するインパクト情報、ネットワーク要素のセルに関連したアクションを行うための第２ネットワーク要素に対する要求、及びネットワーク要素のセルに関連したアクションを行うための中央ネットワーク要素からのコマンド、の少なくとも１つを受信するための受信手段を備えたネットワーク要素に向けられる。又、ネットワーク要素は、受信したインパクト情報、コマンド又は要求の少なくとも１つに基づいてネットワーク要素のセルに関連したアクションを行うためのアクション手段も備えている。
【００１２】
別の実施形態において、集中型ネットワーク要素は、第１ネットワーク要素のセルに関連したアクションを行うとき又は第２ネットワーク要素のセルに関連したアクションを行うときの第１ネットワーク要素のセルに対するインパクト情報、及び第２ネットワーク要素のセルに関連したアクションを行う要求、の少なくとも１つを第１ネットワーク要素から受信するための受信手段を備えている。又、集中型ネットワーク要素は、受信したインパクト情報及び／又は要求に基づいて第２ネットワーク要素のセルに関連したアクションを行うコマンドを送信するための送信手段も備えている。
【００１３】
別の実施形態は、ネットワーク要素のセルに関連したアクションを行うとき及び／又は第２ネットワーク要素のセルに関連したアクションを行うときのネットワーク要素のセルに対する計算されたインパクト情報、及び第２ネットワーク要素のセルに関連したアクションを行うための要求、の少なくとも１つをネットワーク要素により送信することを含む方法に向けられる。
【００１４】
別の実施形態は、ネットワーク要素のセルに関連したアクションを行うとき及び／又は第２ネットワーク要素のセルに関連したアクションを行うときの第２ネットワーク要素のセルに対するインパクト情報、ネットワーク要素のセルに関連したアクションを行うための第２ネットワーク要素からの要求、及び／又はネットワーク要素のセルに関連したアクションを行うための中央ネットワーク要素からのコマンド、の少なくとも１つをネットワーク要素により受信することを含む方法に向けられる。この方法は、更に、受信したインパクト情報、コマンド又は要求の少なくとも１つに基づいてネットワーク要素のセルに関連したアクションを行うことを含む。
【００１５】
別の実施形態は、第１ネットワーク要素のセルに関連したアクションを行うとき又は第２ネットワーク要素のセルに関連したアクションを行うときの第１ネットワーク要素のセルに対するインパクト情報、及び／又は第２ネットワーク要素のセルに関連したアクションを行うための要求、の少なくとも１つを第１ネットワーク要素から集中型ネットワーク要素により受信することを含む方法に向けられる。この方法は、更に、受信したインパクト情報及び／又は要求に基づいて第２ネットワーク要素のセルに関連したアクションを行うコマンドを送信することを含む。
【００１６】
別の実施形態では、本発明は、非一時的コンピュータ読み取り可能な媒体で実施されるコンピュータプログラム製品であって、プロセッサで実行されるときには、ネットワーク要素のセルに関連したアクションを行うとき及び／又は第２ネットワーク要素のセルに関連したアクションを行うときのネットワーク要素のセルに対する計算されたインパクト情報、及び第２ネットワーク要素のセルに関連したアクションを行うための要求、の少なくとも１つを送信するようにプロセッサを制御するコンピュータ実行可能なコードを含むコンピュータプログラム製品に向けられる。
【００１７】
別の実施形態では、本発明は、非一時的コンピュータ読み取り可能な媒体で実施されるコンピュータプログラム製品であって、プロセッサで実行されるときには、ネットワーク要素のセルに関連したアクションを行うとき及び／又は第２ネットワーク要素のセルに関連したアクションを行うときの第２ネットワーク要素のセルに対するインパクト情報、ネットワーク要素のセルに関連したアクションを行うための第２ネットワーク要素からの要求、及びネットワーク要素のセルに関連したアクションを行うための中央ネットワーク要素からコマンド、の少なくとも１つを受信するようにプロセッサを制御するコンピュータ実行可能なコードを含むコンピュータプログラム製品に向けられる。このネットワーク要素は、更に、受信したインパクト情報、コマンド又は要求の少なくとも１つに基づいてネットワーク要素のセルに関連したアクションを行うようにされる。
【００１８】
別の実施形態では、本発明は、非一時的コンピュータ読み取り可能な媒体で実施されるコンピュータプログラム製品であって、プロセッサで実行されるときには、第１ネットワーク要素のセルに関連したアクションを行うとき又は第２ネットワーク要素のセルに関連したアクションを行うときの第１ネットワーク要素のセルに対するインパクト情報、及び第２ネットワーク要素のセルに関連したアクションを行うための要求、の少なくとも１つを第１ネットワーク要素から受信するようにプロセッサを制御するコンピュータ実行可能なコードを含むコンピュータプログラム製品に向けられる。集中型ネットワーク要素は、更に、受信したインパクト情報及び／又は要求に基づいて第２ネットワーク要素のセルに関連したアクションを行うコマンドを送信するようにされる。
【００１９】
別の実施形態では、本発明は、第１ネットワーク要素及び第２ネットワーク要素を備えたシステムも包含する。第１ネットワーク要素は、プロセッサと、コンピュータプログラムコードを含むメモリとを有し、そのメモリ及びコンピュータプログラムコードは、ネットワーク要素のセルに関連したアクションを行うとき又は第３ネットワーク要素のセルに関連したアクションを行うときの第１ネットワーク要素のセルに対する計算されたインパクト情報、及び第３ネットワーク要素のセルに関連したアクションを行う要求、の少なくとも１つを第１ネットワーク要素が送信するようにさせるよう構成される。又、システムの第２ネットワーク要素も、プロセッサと、コンピュータプログラムコードを含むメモリとを備えている。第２ネットワーク要素のメモリ及びコンピュータプログラムコードは、プロセッサとで、第１ネットワーク要素からのインパクト情報、又は第１ネットワーク要素からの要求、或いはセルに関連したアクションを行うための中央ネットワーク要素からのコマンド、を第２ネットワーク要素が受信するようにさせるよう構成される。又、第２ネットワーク要素は、受信したインパクト情報、コマンド又は要求の少なくとも１つに基づいてセルに関連したアクションを行うようにされる。
【００２０】
別の実施形態において、本発明は、少なくとも１つのプロセッサ及びコンピュータプログラムコードを含む少なくとも１つのメモリを有する集中型ネットワーク要素を備えたシステムであって、少なくとも１つのメモリ及びコンピュータプログラムコードは、少なくとも１つのプロセッサとで、集中型ネットワーク要素が、少なくとも、第１ネットワーク要素のセルに関連したアクションを行うとき又は第２ネットワーク要素のセルに関連したアクションを行うときの第１ネットワーク要素のセルに対するインパクト情報、及び第１ネットワーク要素のセル又は第２ネットワーク要素のセルに関連したアクションを行うための要求、の少なくとも１つを第１ネットワーク要素から受信し、及び受信したインパクト情報及び／又は要求に基づいて第１ネットワーク要素のセル又は第２ネットワーク要素のセルに関連したアクションを行うコマンドを送信するようにさせるよう構成されたシステムを包含する。
【００２１】
別の実施形態では、少なくとも１つのメモリ及びコンピュータプログラムは、サービス品質特性の指示も含む利益／ペナルティ情報を前記計算されたインパクト情報として送信するように構成される。
【００２２】
別の実施形態では、本発明の方法は、サービス品質特性の指示も含む利益／ペナルティ情報を前記計算されたインパクト情報として送信することを含む。
【００２３】
別の実施形態では、前記計算されたインパクト情報は、特定ユーザ装置に基づいて計算された利益／ペナルティ情報である。
【００２４】
別の実施形態では、ネットワーク要素は、ベースステーション又はアクセスポイントである。
【００２５】
別の実施形態では、ネットワーク要素の少なくとも１つのメモリ及びコンピュータプログラムコードは、少なくとも１つのプロセッサとで、ネットワーク要素が、少なくとも、アクションを行うためのペナルティ／利益を計算し、そして受信したインパクト情報及び計算されたペナルティ／利益情報に基づいて正味利益を計算するようにさせるよう構成される。又、ネットワーク要素は、計算された正味利益に基づいてアクションを行うべきかどうか決定するようにされる。計算された正味利益に基づいてアクションを行うべきかどうかの決定は、ある実施形態では、アクションを行う特定のリソースを決定することを含む。
【００２６】
ある実施形態では、ネットワーク要素は、アクション実行の決定通知を少なくとも１つの他のネットワーク要素に通信するようにされる。
【００２７】
ある実施形態では、集中型ネットワーク要素は、コアネットワーク要素を含む。
【００２８】
前記いずれかの方法において、特定のユーザ装置に基づき利益／ペナルティ情報を計算する付加的なステップを具現化することができる。
【００２９】
又、前記いずれかの方法において、計算された正味利益に基づいてアクションを実行すべきかどうかの決定は、更に、アクションを行う特定のリソースを決定することを含む。
【００３０】
又、前記いずれかの方法において、アクション実行の決定通知を少なくとも１つの他のネットワーク要素に通信する更に別のステップを遂行することができる。
【００３１】
又、前記ネットワーク要素では、利益／ペナルティ情報は、チャンネル状態情報を使用して計算される利益／ペナルティメトリック値を含む。
【００３２】
又、前記ネットワーク要素では、利益／ペナルティ情報は、更に、利益／ペナルティメトリック値に関連したプライオリティファクタを含む。
【００３３】
又、前記ネットワーク要素では、プライオリティファクタは、物理的・ダウンリンク・制御・チャンネル／エンハンスト・物理的・ダウンリンク・制御・チャンネルの混雑度、レンジ拡張の使用、及びデータチャンネル送信のサービス品質特性、の少なくとも１つに基づく。
【００３４】
又、前記ネットワーク要素では、プライオリティファクタ及び利益／ペナルティメトリック値は、Ｘ２シグナリングを経て送信される。
【００３５】
又、前記ネットワーク要素では、プライオリティファクタ及び利益／ペナルティメトリック値は、同じメッセージで送信される。
【００３６】
本発明を適切に理解するために、添付図面を参照する。
【図面の簡単な説明】
【００３７】
【図１】一実施形態による干渉仮説の一例を示す。
【図２】一実施形態によるミューティング適応の規範的シナリオを示す。
【図３】一実施形態によるミューティング適応の別の規範的シナリオを示す。
【図４】一実施形態によるミューティング適応の別の規範的シナリオを示す。
【図５】一実施形態によるミューティング適応の別の規範的シナリオを示す。
【図６（ａ）】一実施形態による論理的分布アーキテクチャーを伴うシステムの一例を示す。
【図６（ｂ）】プライオリティメトリックをシグナリングするためのオプションを示す。
【図７】一実施形態による集中型無線リソースマネージメント（Ｃ−ＲＲＭ）を含む論理的集中型アーキテクチャーを伴うシステムの一例を示す。
【図８】一実施形態によるシグナリング図の一例を示す。
【図９】別の実施形態によるシグナリング図の一例を示す。
【図１０】別の実施形態によるシグナリング図の一例を示す。
【図１１】別の実施形態によるシグナリング図の一例を示す。
【図１２ａ】別の実施形態によるシグナリング図の一例を示す。
【図１２ｂ】別の実施形態によるシグナリング図の一例を示す。
【図１３】一実施形態による方法の規範的フローチャートである。
【図１４】別の実施形態によるシグナリング図の一例を示す。
【図１５】別の実施形態によるシグナリング図の一例を示す。
【図１６】一実施形態による非重畳クラスターの一例を示す。
【図１７】一実施形態によるリキッドクラスターの一例を示す。
【図１８】一実施形態によるリキッドクラスターの一例を示す。
【図１９】一実施形態によるリキッドクラスターへの集中型「最大正味利益」解決策の規範的適用を示す。
【図２０】一実施形態による装置を示す。
【図２１】別の実施形態による装置を示す。
【図２２】一実施形態によりセル１が適切なミューティング量を決定する規範的な仕方を示す図である。
【発明を実施するための形態】
【００３８】
添付図面に示して一般的に述べる本発明のコンポーネントは、広範な様々な異なる構成で配列され設計される。従って、添付図面に示された適応ミューティングを伴う協調スケジューリングに関するシステム、方法、及びコンピュータプログラム製品の実施形態の以下の詳細な説明は、本発明の範囲を限定するものではなく、本発明の選択された実施形態を単に表すものである。
【００３９】
本明細書全体を通じて述べる本発明の特徴、構造又は特性は、１つ以上の実施形態において適当な仕方で合成される。例えば、本明細書全体にわたり句「ある実施形態」「幾つかの実施形態」又は他の同様の表現を使用することは、その実施形態に関連して説明する特定の特徴、構造又は特性が本発明の少なくとも１つの実施形態に含まれることを指す。従って、本明細書全体にわたり句「ある実施形態では」「幾つかの実施形態では」「他の実施形態では」又は他の同様の表現が現れたとき、必ずしもその全てが実施形態の同じグループを指すものではなく、そしてここに述べる特徴、構造又は特性は、１つ以上の実施形態において適当に合成されてもよい。更に、必要に応じて、以下に述べる異なる機能は、互いに異なる順序で及び／又は同時に遂行されてもよい。更に、必要に応じて、ここに述べる機能の１つ以上は、オプションであってもよいし又は合成されてもよい。従って、以下の説明は、本発明の原理、教示及び実施形態を単に表すものとみなすべきで、それに限定されるものではない。
【００４０】
本発明の実施形態は、１つ以上のセルにおいて送信を「ミュート」する技術を使用して１組のセルの中で送信リソースの協調スケジューリングを行って、隣接セルが、ミュートされたリソースの中で顕著なスペクトル効率利得を取得できるＵＥをスケジュールできるようにすることに関する。「セル」という語は、ユーザ装置が特定の送信器、又は送信器それ自体、或いは長期進化（ＬＴＥ）技術又は他のネットワーク要素において通常ベースステーションと称されるのでそのセル又は送信器のためのベースステーション、或いはｅＮｏｄｅＢ（ｅＮＢ）によりサービスされるワイヤレスサービスエリア表わすために交換可能に使用されることに注意されたい。この点に関して制約はない。
【００４１】
１セットのセル間の干渉及びスケジュール協調について、１つの技術は、１つ以上のセルが、ある組のリソースにおいて送信を「ミュート」して、そのミュートされたリソース内の隣接セルへの干渉を減少させ、且つ隣接セルが、そのミュートされたリソースの中で顕著なスペクトル効率利得を取得できるＵＥをスケジュールできるようにすることである。セルのセットは、マクロセルのセットであるか、又は異種ネットワークにおいてマクロセルとピコセルを組み合わせたものである。
【００４２】
ミューティングとは、ある送信をターンオフするか又は電力を減少する（低電力化）かのいずれかである。例えば、ＬＴＥでは、物理的ダウンリンク共有チャンネル（ＰＤＳＣＨ）における送信はターンオフされるが、共通の基準信号又はシステム情報ブロードキャスト（ＳＩＢ）メッセージのような他の送信は、依然、送信される。更に、ミューティングは、周波数ドメイン（例えば、物理的リソースブロック（ＰＲＢ）又はリソースブロックグループ（ＲＢＧ）のサブセット）であってもよいし、又は時間ドメインと周波数ドメインの組み合わせ（例えば、種々のサブフレームにおけるＰＲＢ）であってもよい。従って、セルは、セルがミュートされない場合に時間及び周波数リソースより成る「オン期間」を有し、そして残りのリソースは、セルの「オフ期間」である。
【００４３】
ミューティングは、トレードオフであることに注意されたい。隣接セルは、干渉の減少からある程度の容量を取得するが、ミューティングセルは、ある程度の容量をあきらめねばならない。従って、正しい量のミューティングを得るようにミューティングを適応させることが重要である。ミューティングが少な過ぎると、不充分な利益しか与えられず、一方、ミューティングが多過ぎると、不必要な容量ロスを生じさせる。
【００４４】
又、協調スケジューリングは、チャンネルの周波数選択性も利用しなければならない。ミューティングが既定の周波数ドメインパターンで適用される場合には、ミューティングから利益が得られるＵＥは、周波数選択性フェージングのためにミューティングが適用されるサブ帯域において不充分なチャンネルとなる。従って、セルごとに正しいミューティング「量」を決定するのに加えて、正しいセルが正しいサブ帯域でミュートして、正しいＵＥを（周波数選択性フェージングに基づき）それらのサブ帯域においてスケジューリングできねばならない。従って、最大効率のために、ミューティング方法にミューティング及び協調スケジューリングスキームをもたせることは、協調スケジューリングがミューティング及び周波数選択性利得の両方を利用する上で助けとなる。
【００４５】
更に、ミューティングの利益を最大にするために、セルがミュートするリソースにおいて、利益が得られる隣接セルは、それ自体、ミュートされないことが望ましい。ミューティングの判断が非常に動的で且つ周波数選択的である場合には、ｅＮＢ間の協調スケジューリング／ミューティングがミューティング利益のロスを防止することが重要である。又、全ての潜在的な利益がミューティングの利益を決定する上での主要因であり、そしてミューティングするセルは、それに隣接する他のセルに比してミューティングにより良好な正味利益を得ることも望まれる。
【００４６】
以上のアクションに加えて、協調スケジューリング及び干渉に対して有意義に行われるべき別のアクションは、ビームフォーミングを使用することを含む。１つ以上のセルは、適切なビームフォーミング重みを使用して、選択されたリソースセットにおいてそれらの送信を適切にビームフォーミングし、隣接セル内のあるユーザに対して干渉の減少を与えることができる。これは、「協調ビームフォーミング」としても知られている。ミューティングとは対照的に、協調ビームフォーミングは、ビームフォーミングセルがある情報を送信することを許し、一方、ミューティングは、それらのセルがある情報又はいずれかの情報を送信することを防止する。ミューティングと同様に、協調ビームフォーミングは、トレードオフ、即ち干渉を減少するビームフォーミング重みを選択すると、ビームフォーミングセルのスペクトル効率が著しく減少するのを招くこと、も伴う。従って、協調スケジューリング及びミューティングについて上述した同様の事柄が協調ビームフォーミングにも適用される。同様に、実行できる別のアクションは、例えば、ランクの低い送信を実施するように、ある送信モードを制限することである。これは、干渉除去合成（ＩＲＣ）受信器のようなあるタイプの受信器を使用する他のセルにおいてＵＥの性能を高める効果を有する。以下の説明では、説明を簡単にするためにミューティングに集中する。しかし、以下の説明は、干渉を協調させるためにセルが取り得る他のいずれの形態のアクションにも等しく適用できることに注意されたい。
【００４７】
以上に鑑み、ある実施形態は、各セルによって使用されるミューティングを適応させる方法を提供する。更に、ある実施形態は、各サブ帯域（又はＲＢＧ）において正しいセルがミュートして、ミューティング及び周波数選択性スケジューリング（ＦＳＳ）利得の両方を利用すると共に、（ａ）セルがミュートするが潜在的に利益を受ける隣接セルも同じリソースに対してミュートする状態を回避し、及び（ｂ）最も強い正味利益を「局部的」に有するセルがミュートするのを保証することにより、ミューティング利得が最大となるように、ミューティングを適応させる方法を提供する。本発明の実施形態による方法は、あまり複雑でなく、且つ分散化／並列実施を容易にする。
【００４８】
ある実施形態は、各セルにより使用されるミューティングを適応させる方法に向けられる。この方法は、セルのオン期間又はその送信電力を増加（又は減少）することにより得られる利益（又はペナルティ）を表すメトリック（例えば、チャンネル品質及び負荷の組み合わせに基づく）を計算し、そして所与のセルのオン期間の増加（又は減少）、或いは送信（ＴＸ）電力の増加（減少）により影響を受ける他の各セルに対するメトリックを計算して、所与のセルがそのオン期間を増加（又は減少）し、或いはそのＴＸ電力を増加（減少）することによる他のセルへのペナルティ（又は利益）を表すことを含む。オン期間を拡張（又は収縮）するか或いはＴＸ電力を増加（減少）するリソース（例えば、時間／周波数リソース）の好ましいセットが決定される。次いで、所与のセルがそのオン期間を増加（又は減少）するか或いはそのＴＸ電力を増加（減少）することによるシステムへの正味利益（又は正味ペナルティ）が計算される。正味利益が正である（又は正味ペナルティが負である）場合には、セルは、そのオン期間を拡張（又は収縮）するか或いはそのＴＸ電力を増加（減少）する。利益及びペナルティのためのメトリックは、異なるＱｏＳ要件、異なる無線状態（特定ユーザ装置の無線状態を含む）、異なる負荷、ミュートされたリソースを再使用するための異なる能力、等に基づくものである。
【００４９】
一実施形態によれば、複数のセルが、それらのオン期間を拡張（又は収縮）するか又はそれらのＴＸ電力を増加（減少）するために正の正味利益（又は負の正味ペナルティ）を与える場合には、その正味利益（又は正味ペナルティ）の大きさに基づいて１つ以上のセルが選択される。
【００５０】
拡張（又は収縮）或いは増加／減少に対して選択される厳密な時間及び周波数リソースは、選択されたセルの拡張／収縮或いはＴＸ電力の増加／減少について前記で決定された好ましいリソースセットである。一実施形態では、ミューティングを変化させる判断は、各送信時間インターバル（ＴＴＩ）で、即ちおそらく、各ＴＴＩにおいて特定リソースに対してスケジュールされる特定ユーザに基づき、Ｎ個のＴＴＩごとに１回のようなゆっくりした時間スケールで、或いは混雑又は過負荷、又はＱｏＳ又は保証／公称ビットレートを満足できないこと、等に関するある状態に遭遇したときに、行うことができる。一実施形態では、ミューティングを変化させる判断は、周波数リソースごとに（例えば、ＬＴＥでは、リソース又はリソースブロックグループごとに）別々に行われる。
【００５１】
ミューティングを適応させる判断がなされると、ある時間長さにわたって持続することができる。例えば、ミューティングの期間は、１つのＴＴＩのみ、Ｎ個のＴＴＩ、或いは混雑又は過負荷状態が静まるまで、等である。ある実施形態では、ミューティングを適応させる判断は、更に、判断が有効になる特定時間を決定するか又は通信することを含む。これは、例えば、リンクに可変通信遅延があるときに、判断が有効になる時間を使用することにより、判断されたミューティングのスタート時間の協調を達成できるように使用される。
【００５２】
又、ミューティングを変更するためのトリガーは、ＵＥの速度のような他のファクタも使用する（ＵＥの速度の分布、又は例えば、高又は中間又は低速度に対応するＵＥの数、等）。高速度又は中間速度のＵＥの場合、チャンネルアウェアスケジューリングで周波数ドメインフェージングを適切に利用することはしばしば困難である。というのは、チェンネルフェージングの変化が速過ぎるからである。そのようなＵＥでは、干渉がミュートされたリソースを使用することが好都合である。というのは、外部ループリンク適応のような、ｅＮＢにより使用されるＵＥのチャンネルフィードバック及び制御ループが、ミュートされたリソース内で達成可能なスペクトル効率を良好に反映できるからである。
【００５３】
図１は、干渉仮説の一例を示す。協調スケジューリングについては、「干渉仮説」は、干渉を協調させる目的でネットワーク内の１つ以上のセルの潜在的状態を表わす。ある実施形態では、あるセルは、「オン」又は「オフ」状態をとる。ある実施形態では、セルは、「オン」又は「オフ」ではなく異なる電力レベルを使用し、一方、他の実施形態では、セルは、あるビームフォーミング重みを使用する。「干渉仮説」は、１つ以上のセルが取るアクションのために隣接セルにおいてユーザ装置により経験される干渉のレベルの指示を与える。又、「干渉仮説」は、「ミューティング組み合わせ」又は「ミューティングシナリオ」又は「ビームフォーミング組み合わせ」等としても様々に知られている。図１に示されたように、セル１の観点から、隣接セクタ（２、３、２’、３’、２”、３”）の各々は、所与の「リソース」（時間／周波数の組み合わせ、例えば、長期進化（ＬＴＥ）技術では物理的リソースブロック（ＰＲＢ）又はリソースブロックグループ（ＲＢＧ））においてオン又はオフである。時間及び周波数において、セル１は、種々の隣接セルのオン／オフの種々の組み合わせを経験する。干渉仮説は、各セルのオン−オフ状態を表わすＮ−タプルである（例えば、１＝オン、２＝オン、３＝オフ、２’＝オフ、３’＝オン、２”＝オン、３”＝オフ）。従って、所与の干渉仮説は、セルのオン／オフ状態に基づいて、特定の時間−周波数リソースにおいて生じると言える。所与のセルによりサービスされる所与のＵＥの観点から、干渉仮説は、ＵＥから見た干渉のレベルの指示も与える。
【００５４】
セル間の協調は、異なる実施形態において種々の形態をとる。例えば、協調は、干渉仮説の選択、又はある仮説から別の仮説への切り換えの決定、又は１つ以上のセルの状態の決定、或いは１つ以上のセルの状態の変化の決定を伴う。協調は、リソースの特定セットに関して行われる。ある実施形態では、リソースのセットそれ自体が決定される。ある実施形態では、協調は、選択又は決定を適用すべきリソースの数を決定することを含む。又、干渉仮説の選択、又はある干渉仮説から別の干渉仮説への切り換えは、セル間を協調させる目的で行われる１つ以上のアクションとして解釈されてもよい。例えば、セル１がオフであるという仮説の選択は、セル１をミュートするために行われるアクションとして考えられ、一方、セル１がオンであるという仮説の選択は、セル１をミュートしないために行われるアクションとして考えられる。逆に、所与のセル、例えば、セル１をミュートするために行われるアクションは、他のセルの状態が所与のセルをミュートするために行われるアクションにより決定されてもされなくても、干渉仮説の選択の一部分として考えられる。アクションは、リソースのセットに関連するか、又はリソースの量に関連する。仮説の選択又は仮説の決定或いは１つ以上のセルをミュートする（又はその状態を決定する）アクションという語は、交換可能に使用され、そしてこれに関しての制約はない。更に、アクションが所与のセルにより又は所与のセルにおいて行われるか或いは他のネットワーク要素により又は他のネットワーク要素において行われるかに関しても制約はない。
【００５５】
図１には「第１リング」の隣接セルしか示されていないが、更に別の外側サイト（例えば、第２リングの隣接セル）は、特に小さなサイト間距離での展開において、潜在的に、干渉仮説定義の一部分である。
【００５６】
一般的に、セルの適当なセットは、「協調セルのクラスター」の一部分と考えられる。それらは、所与のセルサイトの全てのセル、又は複数のセルサイトからのセル、或いは充分に強い干渉を引き起こす全てのセル、等を含む。ある実施形態では、クラスターは、セルの所定グループを含む。そのようなセルのクラスターの１つの構成は、協調セルの１つのクラスターが協調セルの別のクラスターと重畳しないプロパティ、即ち「非重畳クラスター」として知られている構成を有する。この構成において、セルの２つの協調クラスターは、共通のセルを有していない。典型的に、干渉仮説の選択に対するスケジューリング又は判断は、協調セルの所与のクラスター内のセルの中で協調させられる。ある実施形態では、当該干渉仮説は、次いで、協調クラスター内のセルの干渉状態に制限される。ある実施形態では、ユーザ装置からのフィードバックレポートが、種々の干渉仮説のもとでユーザ装置が経験するチャンネル品質に関する情報を与えるように適当に構成される。ある実施形態では、非重畳クラスターが使用されるとき、ＵＥは、干渉物がＵＥのサービスセルと同じ協調クラスターの一部分でない場合にその強い干渉物の干渉状態を反映するためにそれらが経験したチャンネル品質を表すフィードバックを与えるように構成されない。
【００５７】
所与のサービングセルからサービスを受けるＵＥは、所与の干渉仮説のもとで、ある性能、例えば、干渉物の所与のセットがオン又はオフであるときに達成されるチャンネル品質インジケータ（ＣＱＩ）又はスペクトル効率を達成することができる。あるＵＥは、最も強い干渉物のオン／オフ状態のみを感知する。そのようなＵＥの場合、所与の干渉仮説における他の隣接セルの状態は、所与の干渉仮説においてＵＥにより達成できる性能に対して問題にならない。
【００５８】
ミューティングの候補切り換えは、リソースを現在仮説（ｈ１）から新規仮説（ｈ２）へ切り換えるものとして解釈される。現在、仮説ｈｉに対してリソースρｉが使用され、そしてセルｃが仮説ｈｉに対して使用されるリソースρｉからユニティ関数値Ｆｃ（ｈｉ；ρｉ）を得ると仮定する。従って、セルは、現在、ΣｉＦｃ（ｈｉ；ρｉ）の合計ユニティ関数値（全ての仮説にわたって加算された）を得る。
【００５９】
リソースのあるスライスΔρに関する仮説がｈ１からｈ２へ切り換えられるとき、仮説ｈ１のもとでの正味リソースがρ１−Δρに変化し、そして仮説ｈ２のもとでの正味リソースがρ２＋Δρに変化する。従って、セルのユニティは、Ｆｃ（ｈ１；ρ１）＋Ｆｃ（ｈ２；ρ２）からＦｃ（ｈ１；ρ１−Δρ）＋Ｆｃ（ｈ２；ρ２＋Δρ）に変化し、即ち正味変化は、［Ｆｃ（ｈ２；ρ２＋Δρ）−Ｆｃ（ｈ２；ρ２）］−［Ｆｃ（ｈ１；ρ１）−Ｆｃ（ｈ１；ρ１−Δρ）］となる。それ故、あるセルは、ユニティにおける正味変化が正であるから変化により利益を得るが、他のセルは、正味変化が負であるから「ペナルティ」が課せられる。セルｃのユニティの変化は、Δρ［Ｕｃ（ｈ２；ρ２）−Ｕｃ（ｈ１；ρ１）］と近似され、ここで、関数Ｕｃは、関数Ｆの勾配である。全体としてセルの協調クラスターの観点から、変化Δρによりクラスターの全てのセルにわたって生じる全利益（又はペナルティ）を考慮するのが有益である。
【００６０】
一実施形態によれば、ミューティング適応は、全てのセルにわたる正味利益が充分に大きく、即ちΣｃ［Ｕｃ（ｈ２）−Ｕｃ（ｈ１）］＞０（又はある適当な正の値εに対して＞ε）のときに、又は利益を受けるセルのセットにわたる総計変化（‘Ｂ’で示す）が、ペナルティを受けるセルのセットにわたる総計ペナルティ（‘Ｐ’で示す）より充分大きいときに、ミューティングの候補変化が好ましいものとなると規定する。数学的には、これは、［ΣceB（Ｕｃ（ｈ２）−Ｕｃ（ｈ１））］−［ΣceP（Ｕｃ（ｈ１）−Ｕｃ（ｈ２））］＞０と表される。或いは又、ミューティングの候補変化は、この正味利益が充分に大きい場合、例えば、適当に選択されたεの正の値に対して、［ΣceB（Ｕｃ（ｈ２）−Ｕｃ（ｈ１））］−［ΣceP（Ｕｃ（ｈ１）−Ｕｃ（ｈ２））］＞εの場合、即ち総計利益から総計ペナルティを差し引いた正味利益が充分大きい場合に、好ましいものとなる。ある実施形態では、総計利益（又はペナルティ）は、通常の和ではなく、重み付けされた和として計算される。これは、例えば、あるセルが他のセルより重要であると考えられるときに、異なるセルに対して異なる重みを使用できるようにする。例えば、マクロセルは、ピコセルより重要と考えてもよく、又はその逆のことも言える。別の例では、あるセルが祭りのような公共重要性の高いイベントからの交通をサポートすることが知られており、次いで、そのようなセルに対する利益（又はペナルティ）には、総計利益（又はペナルティ）を計算するときに高い重みが与えられる。
【００６１】
以下、関数Ｕは、「ユニティ」と称されるが、Ｕは、適当なユニティ関数Ｆの勾配として解釈される。
【００６２】
図２は、一実施形態によるミューティング適応の規範的シナリオを示す。図２に示すように、複数のセル（２、３・・・）があるＰＲＢを使用することを希望し、そしてセル１にそのＰＲＢをミュートさせることを希望する。或いは又、セル２があるＰＲＢを使用することを希望し、そしてセル１にミュートさせることを希望するが、セル３、・・・ｎも利益を受けることが分かっている。現在仮説ｈ１は、セル２、３、・・・ｎがオンであり、そしてセル１がオンである。新規仮説ｈ２は、セル１がオフであり、そしてセル２、３、・・・ｎがオンである。この規範的シナリオでは、ｈ１のもとでのセル１のユーティリティは、Ｕ１（ｈ１）であり、そしてｈ２のもとでは、０である（それがオフであるため）。従って、ｈ１からｈ２への切り換えによるセル１の利益は、負であり、即ちセル１は、Ｕ１（ｈ１）−Ｕ１（ｈ２）＝Ｕ１（ｈ１）のペナルティを有する。しかしながら、セル２、３、・・・ｎは、セル１のミューティングによる利益を有し、即ちＵｃ（ｈ２）−Ｕｃ（ｈ１）＞０を有する。この例によれば、ミューティング適応は、セル２、３、・・・ｎに対する総計利益がセル１に対するペナルティより充分に大きい場合に、即ち全てのセル１、２、３、・・・ｎにわたって加算された正味利益が正である場合に、採用することができる。
【００６３】
図３は、一実施形態によるミューティング適応の別の規範的なシナリオを示す。図３の例において、セル１は、現在ミュートされているあるＰＲＢを使用することを希望する。そのＰＲＢを現在使用しているセル２、３、・・・ｎは、セル１の変化によりインパクトを受ける。更なる変化として、セル１は、セル２、３、・・・ｎにそのＰＲＢをミュートさせることを希望する。現在仮説ｈ１は、セル１がオフであり、２、３、・・・ｎがオンである。新規仮説は、ｈ２であり、ここでは、セル１がオンであり、２、３、・・・ｎがオフである。ｈ１のもとでのセル１のユーティリティは、０であり、そしてｈ２のもとでは、Ｕ１（ｈ２）である。従って、ｈ１からｈ２への切り換えによるセル１の利益は、Ｕ１（ｈ２）＞０である。セル２、３、・・・ｎは、そのリソース仮説ｈ１を使用することにより現在受け取るユーティリティＵｃ（ｈ１）に等しいペナルティを有する。この例では、ミューティング適応は、セル１に対する利益がセル２、３、・・・ｎに対する総計ペナルティより充分に大きい場合に採用することができる。又、セル２、３、・・・ｎがミュートするとき、他のセルも、セル２、３、・・・ｎからの干渉の減少により利益を得ることができる。従って、そのようなセルに対する利益は、セル１に対する干渉減少の利益に加えて考えられる。逆に、セル１は、ミュートから非ミュートへ進むので、干渉の増加が他のセルに対して考えられるペナルティを引き起こす。
【００６４】
図４は、一実施形態によりミューティング適応の別の規範的シナリオを示す。図４の例において、セル１は、現在ミューティングしているあるリソース（例えば、ＬＴＥでは、物理的リソースブロック又はＰＲＢ）を使用することを希望し、そしてセル２にそのリソース（例えば、ＰＲＢ）をミュートさせることを希望する。この切り換えは、セル１に対する利益及びセル２に対するペナルティを生じる。更に、他のセルは、この切り換えにより影響を受ける。例えば、ＰＲＢをミュートすることにより、セル２の他の隣接セル、例えば、図４のセル４も、原理的に、利益を得ることができる。同様に、セル１がそのＰＲＢを使用することにより、ＰＲＢを失うセル２だけではなく、セル１の他の隣接セル、例えば、今や干渉増加を受ける図４のセル３についても、ペナルティが生じる。
【００６５】
図４の例では、ミューティングを決定するための正味利益の計算において、これら他のセル各々の利益／ペナルティも明確に考慮される。或いは又、正味利益は、α［Ｕ１（ｈ２）−Ｕ１（ｈ１）］−β［Ｕ２（ｈ１）−Ｕ２（ｈ２）］として近似され、ここで、典型的に、α＜１であり（システムの観点から、セル１に対する利益は、それが引き起こす干渉増加のために減少され）、及び典型的に、β＜１である（システムの観点から、ＰＲＢのセル２のロスによるペナルティも減少され、というのは、セル２のミューティングによる他のｅＮＢへの利益が若干あるからである）。ｈ１は、セル１ミュートに対応し、そしてｈ２は、セル２ミュートに対応するので、以上のことは、単に、α［Ｕ１（ｈ２）］−β［Ｕ２（ｈ１）］と表現される。
【００６６】
図５は、一実施形態によりミューティング適応の別の規範的シナリオを示す。図５の例において、セル１は、あるリソース（例えば、ＰＲＢ）において現在ミュートされるが、他のセルのミュートを要求せずに、それを使用することを希望する。この切り換えは、ミュートされたリソース（例えば、ＰＲＢ）から現在利益を得ている他のセルに干渉インパクトを引き起こし、そのリソース（例えば、ＰＲＢ）からの「有用性」が低下する。当該仮説は、セル１オンに対応するｈ２、及びセル１オフに対応するｈ１である（他の全てのセルの状態は、同じままである）。セル１に対する利益は、Ｕ１（ｈ２）であり、そして他の各セルに対するペナルティ（即ち、負の利益）は、セル１からの干渉増加のためＵｃ（ｈ１）−Ｕｃ（ｈ２）となる。セル１により干渉されないセルの場合、有用性の変化は０である。この場合も、セル１に対する利益と他の各セルに対する（負の）利益の合計値より成る正味利益は、ｈ１からｈ２への切り換えがシステムに正味利益を与えるかどうか決定するのに使用される。
【００６７】
ある実施形態において、特定仮説を選択する利益は、現在動作中のある仮説ではなく、基準仮設に対して計算される。例えば、基準仮説は、全てのセルがオン状態にあるというもので、ｈ０と示される。所与のセルｃは、全ての当該セルがオン状態にある場合に有用性Ｕｃ（ｈ０）を得る。セルｃは、あるミューティング仮説ｈ１のもとで有用性Ｕｃ（ｈ１）を得る。従って、セルｃは、基準仮説に対するその利益をＵｃ（ｈ１）−Ｕｃ（ｈ０）として計算する。同様に、所与のセルは、基準仮説に対するペナルティを計算する。例えば、セルｃがある仮説ｈ１においてミュート（オフ）状態にある場合には、仮説ｈ１を採用するためのセルｃのペナルティがＵｃ（ｈ０）−Ｕｃ（ｈ１）として表される。関数Ｕの定義に基づき、Ｕｃ（ｈ１）は、セルｃが仮説ｈ１においてオフ状態である場合には０である。従って、セルｃのペナルティは、Ｕｃ（ｈ０）に等しい。ここに述べるいずれかの実施形態において、利益（又は場合によってはペナルティ）の指示は、基準仮説に対して計算されて表現されることを理解されたい。
【００６８】
ある実施形態によれば、実行可能なミューティングに複数の切り換えが考えられる。複数のセルは、複数の候補仮説ｈ２に対応して、所与の時間−周波数リソースにおいてミューティング状態を切り換えることができ、及び／又はセルのミューティング状態の切り換えは、複数の考えられる候補リソースにおいて行うことができる（即ち、各候補リソースには異なるｈ１及びｈ２がある）。この場合、前記メトリックに基づいて１つ以上の候補セル又はリソースを取り上げることにより判断がなされる。例えば、最上位Ｋ（ここでは、仮説ｈ２、リソースＲ）の組み合わせが、当該セル／仮説及びリソースにわたり、利益からペナルティを差し引く正味利益、又は利益対ペナルティの比を表すメトリックの下降順に選択される。所与のミューティング仮説において、２つ以上のセルがミュート状態にあるかもしれないことに注意されたい。即ち、複数のミュートの組み合わせがあり、従って、ある仮説に対する利益及びペナルティの決定が、どの（考えられる複数の）セルがミュートしているかに基づいて計算される。
【００６９】
図６（ａ）は、本発明の一実施形態による論理的分布アーキテクチャーを伴うシステムの一例を示す。論理的分布アーキテクチャーの例では、ベースステーション（ＬＴＥではｅＮｏｄｅＢ又はｅＮＢとしても知られている）がセルサイトに配置されるか、又はｅＮＢが共通配置される（例えば、ＢＴＳホテルに）。前者の場合には、ｅＮＢは、典型的に、インターネットプロトコル（ＩＰ）ネットワークにより互いに通信することができる。後者の場合には、ｅＮＢが、適当な相互接続ネットワーク又はファブリック、例えば、シリアルラピッドＩＯ（ｓＲＩＯとしても知られている）又はギガビットイーサネット（登録商標）等により相互接続されることも考えられる。図６（ａ）の例では、セル１、セル２及びセル３の各々は、ローカルミューティングアダプタ６００を備えている。各候補仮説の切り換え及び／又はリソースについて、各セルは、それ自身の利益メトリックを計算することができ、そして各セルは、その利益（又は場合によってはペナルティ）を他のセルへ通信することができる。従って、図６（ａ）の例では、各セル（又はｅＮＢ）は、それ自身の利益メトリックを計算し、そして他のセルによりインターフェイスを経て報告された利益／ペナルティメトリックを得る。セル間でのこの情報交換は、最良ミューティング仮説の分散型決定を容易にする。例えば、セル又はｅＮＢは、他のセル又はｅＮＢからそれが受け取った情報及びそれがローカルに有している情報に基づいてそれ自身のオン／オフ状態（又は他のセルのオン／オフ状態）の決定を行うことができる。
【００７０】
一般的に、利益メトリックは、別のセル／ｅＮＢがある物理的リソースブロック（ＰＲＢ）をミュートする場合に、利益を受けるセル／ｅＮＢにより得られる利益を指示する。しかしながら、利益メトリックは、一般的に、例えば、チャンネルがどれほど重要であるかのような利益メトリックの重要度を明確に指示できず、これは、別のｅＮＢによるＰＲＢのミューティングから利益を得るものである。例えば、指示された重要度は、ＰＲＢのミューティングから利益を得るチャンネルが、データ、制御情報、又はシステム情報のブロードキャスティングに使用されると意図されているかどうかに基づいて異なる。しかし、利益メトリックは、一般的に、チャンネル及び関連利益メトリックがなぜ特別に重要であるかを明確にシグナリングする術がない。
【００７１】
利益メトリックを使用するのに加えて、本発明の実施形態は、ペナルティメトリックも使用することができる。ペナルティメトリックは、セル／ｅＮＢがある物理的リソースブロック（ＰＲＢ）をミュートする場合、又は別のセル／ｅＮＢがあるＰＲＢをアンミュートする場合に、ペナルティを課せられるセル／ｅＮＢにより得られるペナルティを指示する。利益メトリックは、以下に詳細に述べるが、同様の原理をペナルティメトリックにも適用することができる。
【００７２】
意図された保護チャンネルの重要度上昇を指示する暗示的方法は、利益を受けるｅＮＢが利益メトリックの値を増加するのを許すことである。例えば、チャンネルが重要なチャンネル（例えば、制御チャンネル）である場合には、ｅＮＢは、チャンネルが重要であることを指示するために、対応する利益メトリック値を増加することができる。しかしながら、この解決策に伴う１つの欠点は、利益を受けるセル／ｅＮＢが、一般的に、実施特有の仕方を使用してチャンネルの重要度を決定し、従って、異なるｅＮＢ売主が異なるアルゴリズムを使用するために、決定される重要度にばらつきがあることである。受信側ｅＮＢが、同じチャンネルのプライオリティを理解する仕方が異なる場合には、利益メトリックを誤解することがある。
【００７３】
例えば、利益を受けるセルは、チャンネル品質情報（ＣＱＩ）から利益メトリックが０．７であることを決定するが、ＰＲＢが制御チャンネルに使用されようとしている場合には、利益を受けるセルは、その重要度を示すために利益メトリックを０．９として報告する。
【００７４】
しかしながら、別の受信側ｅＮＢがそのような利益メトリックを、利益を受けるｅＮＢから受け取ると、受信側ｅＮＢは、データチャンネルを通常のデータチャンネルと考える。利益メトリックが高くても、受信側ｅＮＢは、依然、データチャンネルをミュートしないと決定する。というのは、ＰＲＢが受信側ｅＮＢにより重要でないと考えられるからである。
【００７５】
本発明の実施形態は、ｅＮＢ間協調マルチポイント（ＣｏＭＰ）をサポートするために、例えば、Ｘ２シグナリングを経て２つのベースステーション／アクセスノード（例えば、ｅＮＢ）間に送信される利益メトリック及びプライオリティファクタに向けられる。利益メトリックは、ＣＳＩ（チャンネル状態情報）を使用して計算され、そしてプライオリティファクタは、この利益メトリックの重要度を定量化するのに使用される。制御チャンネル又はシステム情報ブロックに対応する利益メトリックは、通常データチャンネルに対応する利益メトリックに比して、高い重要度を指示することができる。高い重要度を指示するために、ｅＮＢは、高いプライオリティファクタを利益メトリックに関連付けることができる。
【００７６】
本発明の実施形態において、シグナリング設計は、利益メトリック及びプライオリティファクタを同じメッセージに含ませる。例えば、ある実施形態では、利益メトリックは、セット（Ｍ、Ｎ）として解釈され、ここで、Ｍは、例えば、ＣＳＩにより計算された通常の利益メトリックであり、そしてＮは、プライオリティファクタに対応する調整ファクタである。利益メトリックを受け取ると、ｅＮＢは、Ｍ及びＮを一緒に使用して、ミューティングを遂行すべきかどうか決定する。ミューティングを遂行すべきかどうか実際に決定するための詳細なアルゴリズムは、実施特有のものである。
【００７７】
所与のタイプの制御チャンネル（例えば、エンハンスト物理的ダウンリンク制御チャンネル（ｅＰＤＣＣＨ）又はＰＤＣＣＨ）のためのプライオリティファクタＮは、種々のファクタに基づいて動的に変更することができる。例えば、プライオリティファクタは、ＰＤＣＣＨ／ｅＰＤＣＣＨ制御チャンネルの混雑、レンジ拡張の使用、及び／又はデータチャンネル送信のサービス品質特性に基づいて変更することができる。異なるチャンネルタイプは、データ又は制御チャンネル、或いは異なるタイプの制御又は異なるタイプのデータチャンネル、或いは他の異なるタイプのチャンネルを含む。異なるチャンネルタイプの例は、物理的ダウンリンク共有チャンネル（ＰＤＳＣＨ）、又は物理的ダウンリンク制御チャンネル（ＰＤＣＣＨ）、又はエンハンスト物理的ダウンリンク制御チャンネル（ｅＰＤＣＣＨ）、又は他の異なるタイプのチャンネルを含む。ＰＤＣＣＨ／ｅＰＤＣＣＨ制御チャンネルの混雑に関して、報告側セルのＰＤＣＣＨ／ｅＰＤＣＣＨが混雑状態になった場合には、その場合のミューティングがより重要であるために、プライオリティファクタが高い値にセットされる。レンジ拡張の使用に関して、レンジ拡張が報告側セルで使用される場合には、プライオリティファクタが高い値にセットされる。この場合に、制御チャンネルがレンジ拡張ＵＥに送られる場合には制御チャンネルが保護を必要とし、従って、ミューティングは、高いプライオリティをとらねばならない。制御チャンネルが割り当てを指示するところのデータチャンネル（例えば、ＰＤＳＣＨ）送信のサービス品質（ＱｏＳ）特性に関して、データベアラ（例えば、ＰＤＳＣＨ）が遅延に敏感な場合には、ミューティングなしに、ＵＥのＰＤＣＣＨは、高いエラー率を有し、欠落デッドラインを生じる。従って、ｅＰＤＣＣＨを保護するためのミューティングは、より重要であり、従って、プライオリティファクタは、高い値を指示することができる。
【００７８】
ある実施形態において、プライオリティメトリックのシグナリングは、利益メトリックのシグナリングとは独立して遂行することができる。別の実施形態では、プライオリティメトリックのシグナリングは、利益メトリックのシグナリングと一緒に遂行することができる。いずれにせよ、本発明の実施形態では、受信側ｅＮＢは、プライオリティメトリック及び利益メトリックの両方を使用して、その応答を決定する。プライオリティメトリックが利益メトリックとは個別にシグナリングされる場合には、プライオリティメトリックは、利益メトリックより相当に長い時間スケールで変更される。例えば、プライオリティメトリックは、２つのｅＮＢ間の事前ネゴシエーションで変更される。
【００７９】
図７は、集中型無線リソースマネージメント（Ｃ−ＲＲＭ）ネットワーク要素７００を含む論理的集中型アーキテクチャーを伴うシステムの一例を示す。図７の例において、セル１、セル２、及びセル３の各々は、その利益メトリック及びペナルティメトリックを、種々の候補仮説／リソースを経てＣ−ＲＲＭに報告する。Ｃ−ＲＲＭは、次いで、仮説切り換え及びリソースの決定を行い、そしてその決定結果をセルに通信する。
【００８０】
図８は、一実施形態により、セル２及びセル３があるＰＲＢを使用することを希望し、そしてセル１にそのＰＲＢをミュートさせることを希望するシグナリング図の一例を示す。図８の例に示すように、セル２は、８００においてミューティング要求をトリガーする判断を行い、そしてセル３も、同様に、８０１においてミューティング要求をトリガーする判断を行う。セル２は、８１０において、ミューティング要求をセル１に送信し、そしてセル３は、８１５において、ミューティング要求をセル１に送信する。ミューティング要求は、ＰＲＢ、利益メトリック情報、他のＱｏＳ情報、及び提案されたミューティング期間を含む。８２０において、セル１は、指示されたＰＲＢから当該仮説を決定し、それ自身の利益／ペナルティを決定し、それ自身の及び隣接の利益／ペナルティ、ミューティングの期間、及び他の判断変数、等を使用して正味利益／ペナルティを決定する。次いで、８３０において、セル１は、ミューティング要求受け容れ（又は拒絶）をセル２へ送信し、そして８４０において、ミューティング要求受け容れ（又は拒絶）をセル３へ送信する。
【００８１】
図９は、セル２があるＰＲＢを使用することを希望しそしてセル１にそのＰＲＢをミュートさせることを希望し、セル３も利益を受けることが分かっているシグナリング図の規範的実施形態を示す。図９の例に示すように、セル２は、９００において、ミューティング要求をトリガーするための判断をなす。セル２は、次いで、９１０において、例えば、ミューティング要求の一部分として利益メトリックをセル１に報告する。次いで、セル１は、９２０において、利益を受けることのできる他のセル（例えば、セル３）を決定する。セル１は、９３０において、セル３から利益メトリックを質問する。９４０において、セル３は、利益メトリックをセル１に報告する。候補ＰＲＢについて、セル１は、９５０において、それ自身のペナルティメトリックを決定し、それ自身の及び隣接の利益／ペナルティメトリック及び他の判断変数を使用して正味利益／ペナルティメトリックを決定する。セル１に対するペナルティ及び他のセルに対する利益を考慮に入れる正味利益が充分に大きい（又は正である）場合には、セル１は、ミューティング要求を受け容れるよう判断する。その場合に、セル１は、９６０において、ミューティング要求受け容れメッセージをセル２へ送信し、そして９７０において、ミューティング指示メッセージをセル３へ送信する。
【００８２】
図１０は、セル２があるＰＲＢを使用することを希望しそしてセル１にそのＰＲＢをミュートさせることを希望し、セル３も利益を受けることが分かっているシグナリング図の別の規範的実施形態を示す。この例では、セル２は、１００において、利益／ペナルティメトリックをセル１へ周期的に報告し、そしてセル３は、１１０において、利益／ペナルティメトリックをセル１へ周期的に報告する。セル２は、１２０において、ミューティング要求をトリガーする判断を行い、そして１３０において、ミューティング要求をセル１へ送信する。ミューティング要求は、ＰＲＢ、利益メトリック情報、他のＱｏＳ情報、及び提案されたミューティング期間を含む。この例では、セル３は、ミューティング要求を開始しないが、セル３は、セル１のミューティングからも利益を受ける。周期的なレポートにより、セル１は、セル３の潜在的利益を知り、そしてセル３に明確に質問する必要なく、それを判断の要因とすることができる。１４０において、セル１は、指示されたＰＲＢから当該仮説を決定し、それ自身のペナルティを決定し、それ自身の及び隣接の利益／ペナルティ、ミューティング期間、及び他の判断変数、等を使用して正味利益／ペナルティを決定する。１５０において、セル１は、選択されたＰＲＢ、ミューティング期間、等を含むことを指示するミューティング要求受け容れメッセージをセル２へ送信する。１６０において、セル１は、選択されたＰＲＢ、ミューティング期間、等を含むことを指示するミューティング指示メッセージをセル３へ送信する。
【００８３】
図１１は、例えば、負荷が増加したためにセル１がそのミューティングを減少することを希望するが、セル２及び３もその影響を受けるシグナリング図の一例を示す。図１１の例では、１７１において、セル１は、ミューティングの減少を試みるためにトリガーする。１７５において、セル１は、メトリック情報要求をセル３へ送信し、そして１７７において、セル２からメトリック情報を要求する。メトリック情報要求は、提案されたミューティング切り換え、候補ＰＲＢ、他のＱｏＳ情報、及び期間を含む。１８０において、セル２は、そのペナルティメトリックをセル１へ報告し、そして１８１において、セル３は、そのペナルティメトリックをセル１へ報告する。適当なＰＲＢについて、セル１は、１８５において、それ自身の利益メトリックを決定し、それ自身の及び隣接の利益／ペナルティメトリックを使用して正味利益／ペナルティメトリックを決定し、そしてミューティングを減少すべきかどうか判断する。１８６において、セル１は、選択されたＰＲＢ、ミューティングの期間、等を含むことを指示するミューティング指示メッセージをセル２へ送信する。同様に、１８７において、セル１は、選択されたＰＲＢ、ミューティングの期間、等を含むことを指示するミューティング指示メッセージをセル３へ送信する。
【００８４】
図１２ａは、ミューティングを増加又は減少するための明確な要求がないシグナリング図の一例を示す。むしろ、図１２ａの例では、各セルは、調整を自律的に行う。この実施形態では、セルは、利益／ペナルティ情報を隣接セルと周期的に交換する。例えば、図１２ａに示すように、セル２は、１９０において、利益／ペナルティ情報をセル１へ周期的に報告する。セル３は、１９１において、利益／ペナルティ情報をセル１へ周期的に報告する。セル１も、同様に、１９２、１９３において、利益／ペナルティ情報をセル２及び３へ周期的に報告する。１９４、１９５及び１９６において、セル１、２及び３各々は、それ自身の及び他のセルの利益／ペナルティメトリックを使用して正味利益／ペナルティメトリックを決定し、そしてミューティングを自律的に更新する。１９７において、セル１は、選択されたＰＲＢ、ミューティングの期間、等を含むことを指示するミューティング指示メッセージをセル２へ送信する。同様に、１９８において、セル１は、選択されたＰＲＢ、ミューティングの期間、等を含むことを指示するミューティング指示メッセージをセル３へ送信する。正味利益／ペナルティの決定、及びセル１によるその後のミューティングの更新（又はミューティング仮説の選択）は、セル２又はセル３による対応決定と厳密に同時に行う必要がないことに注意されたい。即ち、各セルによる決定は、他のセルとは非同期で進めることができる。従って、セルは、正味利益／ペナルティの計算及びミューティングの更新を行う時間を、他のセルがそれ自身のそのような決定を行う時間とは個別に決定することができる。更に、セルは、正味利益／ペナルティの計算及びミューティングの更新を、１つ以上の隣接セルから利益／ペナルティメトリックを受け取るや否や実行する必要はなく、それらの動作を実行するためのそれ自身の適当な時間を選択することができる。セルがそのミューティング更新（又はミューティング仮説選択）の決定を行うとき、他のセルからどんな情報を受信していても、他のセルからその時点まで使用することができる。ある実施形態では、セルがその更新ミューティングを決定するとき、ミューティング指示メッセージを他のセルへ送信して、そのミューティングを切り換えるための判断をそれらに通知することができる。
【００８５】
前記実施形態の幾つかと同様に、現在ミューティング仮説でスタートしそして別のミューティング仮説ｈ２へ変更するミューティング要求を発生するのではなく、ある実施形態は、所与のセルが、どれほど多くのリソースをミュートすべきか決定する解決策をとる。図１２ｂは、一実施形態によるシグナリング図である。１３１において、セル２は、それが受ける利益の指示を、セル１がある量のリソースをミュートする場合に送信する。この指示は、利益メトリックリスト（ＢＭＬ）の形態で送信される。その規範的形態は、次の通りである。即ち、｛（Ｂ１、Ｎ１）、（Ｂ２、Ｎ２）、（Ｂ３、Ｎ３）、・・・｝。ここで、要素は、典型的に、ある順序になっている。従って、リストの第１要素（Ｂ１、Ｎ１）は、セル１がリソースＮ１の付加的な断片をミュートする場合に付加的なリソースごとにＢ１の利益を受け取れることを表す。次の要素（Ｂ２、Ｎ２）は、セル１が付加的な量の断片Ｎ２をミュートする場合に付加的なリソース当たりＢ２の更なる利益を受け取れることを指示する。同様に、リストの各次々の要素（Ｂｉ、Ｎｉ）は、セル１がリソースＮｉの付加的な断片をミュートする場合に付加的なリソースごとにＢｉの更なる利益を受け取れることを表す。典型的に、リソース当りの利益は、益々多くのリソースがミュートされるにつれて減少し、減少リターンの指示となる。利益メトリックＢｉは、ここに述べるいずれかの方法を使用して計算される。リスト内の要素の数は、適当に選択される。例えば、充分な数の要素がリストに指示されて、指示されたリソースの合計断片がある望ましいターゲットまで付加されるか、又はリソース当りの利益が適当な量だけ減少するポイントまで付加される。図１２ｂにおいて、セル３も、１４１で示すように、それ自身の利益メトリックリストを使用して、セル１がミュートする場合にその利益の同様の指示を与えることができる。次いで、セル１は、１５１で示すように、セル２及びセル３から受け取った利益メトリックリストを考慮して、適当なミュート量を決定する。１６１において、セル１は、ミューティングに関するその判断を示すミューティング指示をセル２（及び／又はセル３）へ送信することができる。
【００８６】
図２２は、セル１が適当なミューティング量を決定する仕方の実施形態を示す。セル１は、セル２、３、及びセル１に対する利益メトリックリストが同様に設けられた他のセルに対する総計利益を表す総計関数ΣＢiを構成することができる。対応的に、セル１は、あるリソースをミュートするためのペナルティを被る。典型的に、セル１が被るミュートされるリソース当りのペナルティは、セル１によってミュートされるリソースの断片の非減少関数となる。セル１は、総計利益ΣＢiが、セル１が被るペナルティを上回るところのリソースＮ*の断片をミュートするように選択される。
【００８７】
ある実施形態では、利益メトリックリストは、更に、識別子又は重みのようなサービス品質（ＱｏＳ）クラスの指示を含む。同様に、セル１は、ミュート量を決定する際に、ＱｏＳクラス又は重みをそれ自身のペナルティに関連付ける。一実施形態では、セル１は、例えば、他のセルに対する利益がそれ自身のペナルティより高いＱｏＳについてのものであるかどうか決定する際に、そのような指示を使用する。もしそうであれば、セル１は、ミュートするのが有益であると考える。というのは、高いＱｏＳに対する利益は、低いＱｏＳに対するペナルティを上回るからである。別の実施形態では、セル１は、単純な差ではなく、重みを使用して、他のセルに対する総計利益とそれ自身のペナルティの重み付けされた差を取り上げ、そして重み付けされた差が正であるところの点である最適なミュート量Ｎ*を決定する。
【００８８】
ある実施形態では、利益及びペナルティメトリックは、「達成可能な比例公平性（ＰＦ）メトリック」に基づいて計算される。この解決策は、ミューティング適応が非ＧＢＲユーザ（おそらく非ＧＢＲ内の異なるＱｏＳクラスを伴う）をターゲットとするときに適している。ここで、ＧＢＲという語は、「保証されたビットレート」、即ちｅＮＢがユーザ又はベアラ又はフローに対してあるビットレートを保証するサービス品質クラスを意味する。逆に、非ＧＢＲは、ユーザ装置が受信できるビットレートに関して明確な保証がないサービス品質クラスを指す。むしろ、ｅＮＢは、ユーザ装置のチャンネル状態情報（ＣＳＩ）、ユーザ装置が過去に得たスループット、ユーザ又はベアラフローに対するサービス品質（ＱｏＳ）クラスを表すスケジューリング重み、並びに全体的公平性及び効率の考慮のような種々の基準に基づいてユーザ装置間のリソース割り当てを決定する。比例公平性（ＰＦ）スケジューリングアルゴリズムは、異なるユーザに割り当てられるリソースの分布が比例公平性として知られているある公平性基準を満足するのを保証するためにｅＮＢにより典型的に使用されるアルゴリズムである。ＰＦメトリックは、比例公平性スケジューリングアルゴリズム又はその変形を使用するときにｅＮＢにより計算されるメトリックである。ＰＦメトリックは、「ユニティ関数」の勾配を表す。所与の干渉仮説ｈに使用されるある量のリソースがΔρだけ増加すると、セルの「ユニティ関数値」の正味変化は、（ユニティ関数の勾配）*（Δρ）として表される。セルｃのＰＦメトリックは、前記説明において関数Ｕｃ（）として使用される。ある実施形態では、例えば、ユーザのデータフローのＱｏＳクラスに対応するサービス品質（ＱｏＳ）重みを表すのに重みを使用するような重み付けＰＦメトリックが使用される。
【００８９】
この実施形態によれば、所与の干渉仮説ｃのもとでのセルｃの有用性は、ＰＦメトリックに基づいて次のように計算することができる：Ｕｃ（ｈ）＝ｍａｘｕ［ｗｕＲｃ、ｈ（ｕ）／Ｔ（ｕ）］（即ち、干渉仮説ｈに対してセルｃにおける当該ユーザの中の最大重みのＰＦメトリック）。当該ユーザは、特定の１人のユーザ、提案されたリソースでスケジュールできるセル内のユーザのサブセット（又はおそらくユーザ全員）、及び／又は基線仮説ｈ０に対してその仮説ｈのもとでのスペクトル効率がスレッシュホールドより高い、即ちＲｃ、ｈ（ｕ）／Ｒｃ、ｈ０（ｕ）＞スレッシュホールド、のユーザである。ｗｕは、ユーザのＱｏＳ重み、例えば、当該ユーザのベアラのＱｏＳ重みの和を表す。公平性ファクタβを伴う「一般化されたＰＦメトリック」については、Ｕｃ（ｈ）＝ｍａｘｕ［ｗｕＲｃ、ｈ（ｕ）／Ｔβ（ｕ）］である。Ｒｃ、ｈ（ｕ）項は、干渉仮説ｈのもとでセルｃのサービスを受けるリソースのセットに対してユーザが達成できるスペクトル効率を表す。例えば、Ｎ個のＰＲＢについて考えると、これは、干渉物のオン／オフの特定の組み合わせのもとでＮ個のＰＲＢにわたってユーザが達成できるＴＢＳとして計算される。
【００９０】
Ｕｃ（ｈ）（及び対応的にＲｃ、ｈ（ｕ））の前記計算は、リソースの特定セットに対して実行されるか、又は全リソースにわたって平均化される。次いで、Ｕｃ（ｈ）のこの計算を使用して、利益又はペナルティＵｃ（ｈ２）−Ｕｃ（ｈ１）が計算される。先に述べたように、利益又はペナルティは、基準仮説ｈ０、例えば、協調クラスター内の全ての当該セルがオン状態にあるようなミューティング仮説、に対して表現される。表記に関しては、特定のミューティング仮説が使用されるときに達成される（重み付けされ及び一般化された）ＰＦメトリックを表すのにＰＦ’を、そして基準ミューティング仮説ｈ０のもとで達成される（重み付けされ及び一般化された）ＰＦメトリックを表すのにＰＦを使用する。従って、所与の仮説ｈ２を使用する利益は、基準仮説ｈ０に対してＰＦ’（ｈ２）−ＰＦ（ｈ０）又は単にＰＦ’−ＰＦとして表される。
【００９１】
有用性の前記計算に最大値を使用するのではなく、ある実施形態では、当該ユーザの最上位Ｋの平均値が取り上げられる。更に、前記で使用したＰＦメトリックベースの有用性は、時間と共にフィルタリング又は平均化されてもよいし、或いは直前のＴＴＩから得られてもよい。
【００９２】
別の実施形態では、利益及びペナルティメトリックは、達成可能なスペクトル効率に基づいて計算することができる。この解決策は、ＧＢＲ及び非ＧＢＲの両トラフィックと共に使用することができる。この実施形態によれば、仮説ｈのもとでのセルｃの「有用性」は、次のように計算される：Ｕｃ（ｈ）＝ｍａｘｕ［ｆ（ｗｕ（Ｒｃ、ｈ（ｕ））］。ここで、最大値は、所与の干渉仮説に対するセルｃ内の当該ユーザにわたるものであり、そしてｆ（）は、単調に増加する関数である。典型的な例では、ｆ（ｘ）＝ｘであり、最大スペクトル効率に対応する。当該ユーザは、特定の１人のユーザであるか、又は提案されたリソースでスケジュールすることのできるセル内のユーザのサブセット（又はおそらくユーザ全員）である。ｗｕは、ユーザのＱｏＳ重み、例えば、当該ユーザのベアラのＱｏＳ重みの和を表す。Ｒｃ、ｈ（ｕ）項は、干渉仮説ｈのもとでセルｃのサービスを受けるリソースのセットに対してユーザが達成できるスペクトル効率を表す。例えば、Ｎ個のＰＲＢについて考えると、これは、干渉物のオン／オフの特定の組み合わせのもとでＮ個のＰＲＢにわたってユーザが達成できるＴＢＳとして計算される。
【００９３】
ある実施形態によれば、Ｕｃ（ｈ）（及び対応的にＲｃ、ｈ（ｕ））の前記計算は、リソースの特定セットに対して実行されるか、又は全リソースにわたって平均化される。Ｕｃ（ｈ）のこの計算を使用して、利益又はペナルティＵｃ（ｈ２）−Ｕｃ（ｈ１）が計算される。
【００９４】
有用性の前記計算に最大値を使用するのではなく、ある実施形態では、当該ユーザの最上位Ｋの平均値が取り上げられる。更に、前記で使用したスペクトル効率ベースの有用性は、時間と共にフィルタリング又は平均化されてもよいし、或いは直前のＴＴＩから得られてもよい。
【００９５】
別の実施形態によれば、利益及びペナルティメトリックは、リソースを求めて争うユーザ（即ち、資格のあるユーザ）の数及び利用可能なリソースの数に基づいて計算される。従って、所与の仮説のもとで資格のあるユーザがＥ人いて且つ利用可能なリソースがＡ個ある場合には、Ｕｃ（ｈ）は、Ｅ／Ａと計算される。仮説がｈ１からｈ２へ変化すると、利用可能なリソースのＡ１からＡ２への変化が生じる。従って、有用性の正味変化は、Ｕｃ（ｈ２）−Ｕｃ（ｈ１）＝Ｅ*（１／Ａ２−１／Ａ１）として表される。
【００９６】
ある実施形態では、資格のあるユーザの数Ｅではなく、資格のあるベアラの重みの和Ｗが使用される。その結果、正味利益又はペナルティは、Ｗ*（１／Ａ２−１／Ａ１）となる。資格のあるユーザ（又は資格のあるベアラ）は、バッファにデータを有するユーザ（又はベアラ）、或いはバッファにデータを有するユーザのサブセット）である。例えば、資格のあるユーザは、特定の仮説に対応する特定のリソースに対しておそらくスケジュールが得られるユーザのセットである。
【００９７】
利用可能なリソースは、例えば、非ＧＢＲトラフィックに利用可能な時間−周波数リソース（例えば、ＰＲＢ）、或いは特定の仮説のもとで非ＧＢＲトラフィックに利用可能な時間−周波数リソースである。前記量は、時間にわたってフィルタリング又は平均化されてもよいし、或いは例えば、直前のＴＴＩにおいて瞬時値がとられてもよいことに注意されたい。
【００９８】
更に別の実施形態によれば、前記実施形態に使用されたメトリックの組み合わせも適用される。例えば、利益及びペナルティメトリックが達成可能なＰＦメトリックに基づいて計算される実施形態と同様に、セルｃの有用性は、Ｕｃ、ＰＦ（ｈ）＝ｍａｘｕ［ｗｕ  Ｒｃ、ｈ（ｕ）／Ｔ（ｕ）］として定義され、そして資格のあるユーザ及び利用可能なリソースの数を使用する実施形態と同様に、Ｕｃ、ＳｕｍＷ（ｈ）＝Ｅ／Ａとして定義される。従って、合成メトリックは、Ｕｃ（ｈ）＝ｍｉｎ（Ｕｃ、ＰＦ（ｈ）、Ｅ／Ａ、Ｍａｘ＿ｖａｌｕｅ）として定義され、ここで、Ｍａｘ＿ｖａｌｕｅは、メトリックを、ある好都合な上限に制約するのに使用される。例えば、Ｕｃ、ＰＦ（ｈ）における最大値の計算を、フローが充分に長い期間中進行しているユーザのみに制限するような更なる変形も考えられる。
【００９９】
ある実施形態によれば、セルの利益及びペナルティメトリックは、セル内の全てのユーザにわたる全リソース割り当てではなく、ある特定ユーザの状態に基づく。例えば、利益及びペナルティメトリックが達成可能なＰＦメトリックに基づいて計算される実施形態の変形として、所与の干渉仮説ｃのもとでのセルｃの有用性は、全てのユーザに対する最大値としてではなく、ある特定のユーザｕに対して、ＰＦメトリックに基づいて次のように計算される：Ｕｃ（ｈ）＝ｗｕ  Ｒｃ、ｈ（ｕ）／Ｔ（ｕ）。別の例として、利益及びペナルティメトリックが達成可能なスペクトル効率に基づいて計算される実施形態の変形として、所与の干渉仮説ｃのもとでのセルｃの有用性は、全てのユーザに対する最大値としてではなく、ある特定のユーザｕに対して、達成可能なスペクトル効率に基づいて次のように計算される：Ｕｃ（ｈ）＝ｆ（ｗｕ（Ｒｃ、ｈ（ｕ））。この計算に対してユーザｕは、種々の基準で識別される。例えば、ユーザは、当該仮説に対しスペクトル効率（又はＳＩＮＲ）に充分大きな利得を有し：Ｒｃ、ｈ２（ｕ）／Ｒｃ、ｈ１（ｕ）＞スレッシュホールド、ここで、スレッシュホールドは、スペクトル効率又はＳＩＮＲ利得を得るためにミュートする必要のある隣接セルの数に依存する。或いは又、ユーザは、ある公称ビットレート又は保証ビットレートより小さいビットレート、等を達成してもよい。
【０１００】
別の実施形態によれば、セルの利益及びペナルティメトリックは、セル内のユーザのＧＢＲ又は遅延ターゲットを満足できる能力に基づく。例えば、ユーザの実際のスループットと望ましいＧＢＲターゲットスループットとの間の差、或いはユーザが経験する実際の遅延と遅延ターゲットとの間の差に基づく。例えば、メトリックは、ｗｕ*［ｍａｘ（０、(ＴＧＢＲ（ｕ）−Ｔ（ｕ）)］αに基づき、ここで、Ｔ（ｕ）は、ＧＢＲユーザｕの実際のスループットであり、そしてＴＧＢＲは、ユーザのターゲットＧＢＲである。或いは又、メトリックは、ｗｕ*［Ｄｍａｘ（ｕ）−Ｄ（ｕ）］αに基づき、ここで、Ｄｍａｘ（ｕ）は、ユーザｕの最大許容遅延（即ち、遅延ターゲット）であり、そしてＤ（ｕ）は、ユーザに対するパケットの現在経験遅延である。更に別の形態では、利益及びペナルティメトリックは、例えば、（１−ρ）αに基づき、セルのＰＢＲ利用に関して定義され、ここで、ρは、セルに使用されるＰＲＢの断片であり、そしてαは、パラメータ（この場合はおそらく負の値）である。特に、ρは、ＧＢＲ及びシグナリングに使用されるＰＲＢの断片を指す。
【０１０１】
別の実施形態では、所与の仮説ｈのもとでの所与のセルの利益メトリックは、次のように計算される。これは、典型的に、ＧＢＲデータフローをターゲットとする。ユーザｕがそのＧＢＲターゲットスループット（又は遅延のような他の尺度）を満足することをセルが保証できる場合には、セルは、Ｖ（ｕ）のペイオフ値を発生する。値Ｖ（ｕ）は、定数であるか、又はフローの遅延ターゲット、フローのＱｏＳクラス又はＧＢＲターゲット値のようなファクタに依存したものである。ターゲットＧＢＲレートに到達するためにユーザｕをイネーブルする必要があるリソースの断片をＮ（ｕ）とする。Ｎ（ｕ）は、典型的に、ミューティング仮説に依存する。というのは、ミューティング仮説のもとで経験する干渉は、ユーザが達成するスペクトル効率に影響するからである。従って、ユーザｕがターゲットＧＢＲレートを満足できるようにすることによるセルの有用性は、Ｖ（ｕ）／Ｎ（ｕ）として表される。従って、仮説ｈ１からｈ２へ切り換えるときに、セルが得る利益は、Ｖ（ｕ；ｈ２）／Ｎ（ｕ；ｈ２）−Ｖ（ｕ；ｈ１）／Ｎ（ｕ；ｈ１）と表される。先に述べたように、ある実施形態では、全てのセルがオン状態にあるミューティング仮説のような基準ミューティング仮説ｈ０に対して利益を表すことができる。この場合に、利益は、Ｖ（ｕ；ｈ２）／Ｎ（ｕ；ｈ２）−Ｖ（ｕ；ｈ０）／Ｎ（ｕ；ｈ０）と表される。
【０１０２】
ある実施形態によれば、ミューティング適応方法は、先ずミュート、次にスケジュール（ＭＦＳＮ）スキームに関連して使用される。ＭＦＳＮスキームの一般的な特徴は、ミューティングパターン及びそれらの変化が特定ＴＴＩにおける特定ユーザのスケジューリングに結び付けられないことを含む。従って、ミューティングが先ず判断され、次いで、ミューティングの知識でスケジューリングが行われる。各セルは、既定の時間−周波数リソース領域においてミューティングでスタートする。隣接セル間のミュートされた時間−周波数リソースのパターンは、各セルのミューティングの最大利益をその隣接セルに許すように食い違いされ／配置される。ミューティングを変更する判断は、周期的に行われるか、或いは混雑／過負荷の始まり、又はＱｏＳを満足できないこと、等のようなある事象でトリガーされて行われる。適応が生じるたびの各セルのミューティング領域の「成長」又は「収縮」は、既定のパターンをたどり、以前のミューティング領域との継続性を最大にすることができる。
【０１０３】
ＭＦＳＮスキームの一般的利益は、サブ帯域ベースでの各ＵＥによるＣＱＩ推定がその強い干渉のミューティングパターンを自動的に反映することを含み、即ち各ＵＥのサブ帯域ＣＱＩは、弱い干渉のサブ帯域における良好なＣＱＩを指示する。従って、チャンネルアウェアスケジューラは、各ＵＥの最良の干渉サブ帯域を暗示的に考慮するスケジューリング判断を行う。
【０１０４】
ＭＦＳＮスキーマに関連して使用されるこの実施形態によれば、各ミューティング適応判断点において、各セルに対する利益及びペナルティを考慮に入れてミューティングパターン（成長又は収縮）を変更するために１つ以上のセルが取り上げられる。追加又は差し引かれるミュートされたリソースは、典型的に、既定の時間−周波数順序をたどる。ミューティングの所与の候補セルの拡張（又は収縮）に対応する仮説ｈ１及びｈ２は、既定の時間−周波数順序での追加される（又は差し引かれる）ミュートされたリソースから推測することができる。上述したように、利益及びペナルティメトリックの計算は、追加される（又は差し引かれる）特定リソースに基づくか又はミュートされたリソースの数のみに基づき、おそらく追加されるリソースを使用するＵＥの特定サブセットに基づくか又は全ＵＥにわたる和／平均値に基づき、及び／又はＰＦメトリック又は利用可能なＰＲＢ当りの重みの和に基づく。
【０１０５】
前記実施形態は、周波数ドメインにおけるミューティングのインスタンス生成について述べたが、時間ドメイン又は時間及び周波数の組み合わせドメインにおいてインスタンス生成することも考えられる。時間ドメインでは、測定制約を使用でき、ＵＥは、サブフレームの異なるサブセットに対して個別の測定を報告することが許される。従って、サブフレームのあるサブセット内で周波数ドメインにある形態のミューティングインスタンス生成を有し、そしてサブフレームの別のサブセット内で周波数ドメインに異なる形態のミューティングインスタンス生成を有する。その結果、サブフレームの各サブセット内に存在する仮説のセットは、異なってもよい。ＵＥに対する測定制約サブセットを適宜に構成することにより、サブフレームの各サブセット内におけるミューティング仮説の各セットに対応する測定値を得ることができる。これは、ミューティングを適応させるときに考慮される。例えば、ミューティングの変化は、サブフレームのあるサブセット内のみで行われる。これは、サブフレームごとに行ったり又はタブ帯域の粒度で行ったり等々ではなく、ミューティングの微細な粒度を達成する上で役立つ。
【０１０６】
別の実施形態によれば、インスタンス生成は、先ずスケジュール、次にミュート（ＳＦＭＮ）のスキームで遂行される。このＳＦＭＮの一般的特徴は、ミューティングパターン及びそれらの変化が典型的に特定のＴＴＩにおける特定のユーザのスケジュールに基づくことを含む。従って、スケジューリングが先ず決定され（ミューティングは全くないという仮定に基づくか又は現在のミューティングに基づいて）、そして新規のミューティング（完全に新規のミューティング、或いは現在ミューティングの成長又は収縮）がスケジューリングの知識で決定される。各セルは、おそらく、既存のミューティングに基づきユーザへの周波数（及び場合によって時間）の指定を決定する。あるユーザがある基準を満足する場合には、それらのユーザに利益を与えるためにミューティングの変更（又は新たなミューティングの要求）が呼び出される。
【０１０７】
ミューティング適応がＳＦＭＮに関連して使用されるこの実施形態によれば、１人以上のユーザがミューティングの利益を受ける者として選択されると、あるセル（例えば、それらユーザのうちの最も強いＫ人の隣人）は、上述したように、各セル及びユーザに対する利益及びペナルティを考慮して変更される。計算のための仮説ｈ１及びｈ２は、次のように決定される：即ち、ミューティングがないと仮定してスケジュール（ユーザへのリソースの割り当て）が決定された場合には、初期の干渉仮説がｈ１＝全セルオンとなり、一方、ターゲット仮説ｈ２は、選択されたユーザのＫ個の隣接セルがオフであることに対応し；或いはある既存のミューティングパターンを仮定してスケジュールが決定された場合には、初期の仮説がｈ１＝現在ミューティングとなり、そしてターゲットｈ２は、選択されたユーザのある付加的な隣接セルにおけるある付加的なリソースがオフであることに対応する。
【０１０８】
この実施形態では、新たに決定されたミューティングは、ある期間持続する。あるユーザのスケジュール（典型的に、それに基づきミューティング適応がトリガーされた）も、その期間中固定されたままである。提案されたミューティング適応が受け容れられたかどうかに基づき、選択されたユーザの変調及びコード化スキームも、その変更されたミューティングに従って適応される。更に、開始セル（又はミュートされるターゲットセル）におけるリソース割り当ても変更される。他のセルは、変更されたミューティングから利益が得られ、そしてそれらのリソース割り当て又は変調及びコードスキーム選択を、変更されたミューティングの知識に基づいて調整することができる。
【０１０９】
別の実施形態は、協調スケジューリングを伴うミューティングのインスタンス生成を含む。この実施形態では、各ＴＴＩにおいて、各セルは、そのＴＴＩにおいてスケジューリングするためのＰＲＢ使用を推定する。典型的に、これは、全チャンネルアウェアスケジューリングを遂行する前に行われ、この決定をＴＴＩにおいて早期に行えるようにする。ＰＲＢの１００％未満を使用しようとしていることをセルが推定した場合には、ある数のＰＲＢをミュートすることを他のセルに通知する。セルに対するミュートされるＰＲＢの位置は、セルごとの好ましいパターンに基づいて選択され、これは、セルにわたるミューティングの適切な整列又は食い違いを許す。どのＰＲＢが隣接セルによりミュートされようとしているかのこの通知に基づき、各セル（特に１００％のＰＲＢが必要になりつつあるセル）は、ミュートされるＰＲＢを知ってスケジューリングを行うことができる。従って、これは、ミューティングがスケジューリングの前に先ず決定されるが、ミューティングの量それ自体は、どれほど多くのリソースの事前推定がおそらく必要になるかに基づいて計算されるＭＦＳＮの変形として考えられる。前記スキームの更に別の変形は、使用／ミューティングの量を決定しそして各ＴＴＩにおいて隣接部に通知するのではなく、Ｎ個のＴＴＩごとのようなある程度ゆっくりした時間スケールでこれを行うことである。
【０１１０】
ある実施形態によれば、ミューティングを変更するためのトリガーは、ＵＳの速度、ＵＳの速度分布、或いは高又は中又は低速度に対応するＵＳの数、等の他のファクタも使用する。高速度のＵＥ又は中速度のＵＥでも、チャンネルアウェアスケジューリングと共に周波数ドメインフェージングを適切に利用することはしばしば困難である。というのは、チャンネルフェードは、急速に変化し過ぎるからである。そのようなＵＥでは、干渉がミュートされるリソースを使用するのが好都合である。というのは、外部ループリンク適応のようなＵＥのチャンネルフィードバック及び制御ループが、ミュートされたリソース内の達成可能なスペクトル効率を良好に反映するからである。従って、この実施形態は、ミューティングを変更するための基準を計算するのに種々の速度のＵＥの数を考慮することができる。例えば、セル内の高速ＵＥの数（又は高速ＵＥ対低速ＵＥの比）が増加する場合には、そのセルは、ミュートされたリソース内でそれらのＵＥを優先的にスケジュールすることを希望する。それ故、セルは、干渉がミュートされるリソースの必要性が大きくなる。対応的に、高速ＵＥの数が減少する場合には、セルは、そのようなＵＥをスケジューリングするために、干渉がミュートされるリソースの必要性が少なくなる。従って、ミューティングを減少する干渉物に対するセルのペナルティは、減少する。
【０１１１】
これらの実施形態では、ミューティング適応要求をトリガーすることになる多数の条件が意図される。例えば、ミューティング適応は、構成可能な周期で周期的にトリガーされる。それに加えて又はそれとは別に、ある事象が発生したとき、例えば、１つ以上のセルにおいて混雑が検出されたときに、ミューティング適応がトリガーされる。例えば、ミューティング適応をトリガーする幾つかの事象は：ＰＲＢ使用量がスレッシュホールドより大きい；ある数のＵＥが公称ビットレートを満足しない；（資格のあるＵＥ又はベアラの重みの和）と利用可能なＰＲＢの数との比がスレッシュホールドより高い；セルの「複合利用可能容量」がスレッシュホールドより低い；及び／又はあるＱＯＳクラスの（又は全てのＵＥにわたる）合計バックログバッファデータがスレッシュホールドより高い；ことを含む。
【０１１２】
別の実施形態によれば、ミューティング適応は、ある状態の始まりが検出されたときにトリガーされ、次いで、始めにトリガーされた状態がもはや存在しなくなるまで周期的に繰り返しチェックされる。ミューティング適応は、セルによるか又は別のセルからの明確な要求により、自動的にトリガーすることができる。自律的に、トリガーするとは、あるセルが他のセルからメトリックレポートを周期的に受信するときを指すが、セルそれ自身は、ミューティングの変化が要求されたときをメトリックに基づいて決定する。
【０１１３】
又、ある実施形態では、ミューティングの変化量も考慮される。従って、ある実施形態によれば、ミューティングの量は、固定（構成可能な）量だけ変化することができる（例えば、１ＰＲＢ又は１ＲＢＧ）。或いは又、ミューティングの量は、有用性の正味利益（例えば、ミューティングの変化量に対応する仮説に基づいて評価される）がもはや充分大きいと言えなくなるまで、変化することができる。他の実施形態では、「ミューティングのターゲット量」が決定され、そしてミューティングのターゲット量に向かってミューティングが増分ステップで適応される。
【０１１４】
「ミューティングのターゲット量」を決定する１つの方法は、ミューティングから充分に大きな利得を有するユーザの一部分、即ちＵＥの合計数の一部分である。この例によれば、Ｃ’(ｕ)は、所与のセルがミュートされるときのＵＥｕのスペクトル効率を表し、そしてＣ(ｕ)は、所与のセルがミュートされないときのＵＥのスペクトル効率を表す。従って、Ｔを適当なスレッシュホールドとすれば、Ｃ’(ｕ)／Ｃ(ｕ)＞Ｔとなるように、Ｎ＝ＵＥの＃が決定される。スレッシュホールドＴは、静的であってもよいし又は利益／ペナルティメトリックに関連したものでもよい。そのセルの現在ミュート量がＮ／Ｎallより少ない場合には（即ち、Ｎをユーザの合計数の断片として表す）、ミュートを増加することができ、又はそのセルの現在ミュート量がＮ／Ｎallより大きい場合には、ミュートを減少することができる。
【０１１５】
又、ある実施形態では、変更されたミュート量を持続すべき期間も考慮される。１つの選択肢として、次の周期的適応が生じるまで、変更されたミューティングを持続してもよい。或いは又、セル内の混雑のようなある状態が生じたときにミューティング適応がトリガーされる場合には、その状態がもはや存在しないか、又はより厳しい状態が検出されるまで、変更されたミューティングを持続することができる。期間は、例えば、ある特定のＵＥに対するバッファされたデータの量（又はセルの全体的バックログ）に基づく。更に、期間は、ラウンドトリップ時間、又はミューティング適応判断手順を実行するのに必要なレイテンシーに基づき、手順のレイテンシーが数ＴＴＩである場合には、適応されるミューティングは、手順のレイテンシーより充分に長い期間中続くように設定される。
【０１１６】
ある実施形態は、複数の隣接物のミューティングにも適用することができる。例えば、あるユーザは、それらのサービングセルと、２つの他の干渉セルとの縁にいる。そのようなユーザは、両干渉物がミュートされる場合にのみミューティングから充分な利益を得ることができる。このケースでは、ミューティングを伴う干渉仮説は、複数の干渉物が同時にオフであることに対応する。正味利益及びペナルティの計算は、ミュートされた適切なセルを考慮して、上述したように適用される。
【０１１７】
ある実施形態では、最も強い干渉物のミューティングのみのケースを考える（即ち、２つ以上の干渉物が同時にミュートされる利点を取り入れる場合を除く）。この実施形態では、セルＡについて、所与の干渉物Ｂが付加的なリソースをミューティングすることによる利益は、ＵＡ（ｈ２）−ＵＡ（ｈ１）と書き表すことができる。それ故、ＵＡ（ｈ２）−ＵＡ（ｈ１）＝ＰＦ’（Ａ；Ｂ）−ＰＦ（Ａ）となる。但し、ＰＦ’（Ａ）は、干渉物Ｂがミュートするときに達成できる重み付けされたＰＦメトリックであり、そしてＰＦ（Ａ；Ｂ）は、干渉物Ｂがミュートしないときに達成できる重み付けされたＰＦメトリックである。別の形態として、ＰＦ’（Ａ；Ｂ）（又はＰＦ（Ａ；Ｂ））ではなく、Ｂがミュートされている（又はされていない）ときにＡにおいて達成できるスペクトル効率を使用することができる。逆に、セルＢの観点から、それが付加的なリソースを使用する場合には、利益ＰＦ（Ｂ）を得るが、それが付加的なリソースをミュートする場合には、その利益が０となる。この例では、各セルＡは、その隣接セルＢに、品質ＰＦ’（Ａ；Ｂ）−ＰＦ（Ａ；Ｂ）をレポートする。各セルＢにおいて、ミューティングの適応についての判断ルールは、次の通りである。ΣＡ［ＰＦ’（Ａ；Ｂ）−ＰＦ（Ａ；Ｂ）］＞ＰＦ（Ｂ）*（１＋ε）の場合には、セルＢがそのミューティングを量Δだけ増加しなければならず；そしてΣＡ［ＰＦ’（Ａ；Ｂ）−ＰＦ（Ａ；Ｂ）］＜ＰＦ（Ｂ）*（１＋ε）の場合には、セルＢがそのミューティングを量Δだけ減少しなければならない。その他、ミューティングに変化はない。
【０１１８】
ある実施形態は、セルＡが、ミュートされている特定の干渉物Ｂに対してＰＦ’（Ａ；Ｂ）をどのように推定するかの選択肢を与える。第１の選択肢は、セルＢが既に非ゼロ量だけミュートしている場合は、セルＡは、セルＢがミュートしているＰＲＢのみにわたり個別のＰＦフィルタを維持し、そしてそれらＰＲＢ内でスケジュールされるＵＥのＰＦ（最大又は平均のフィルタ）を推定する、というものである。
【０１１９】
セルＢが何もミュートしないときでも作用する第２の選択肢は、ＰＦ’(Ａ；Ｂ）＝ＰＦ（Ａ；Ｂ）*ｍａｘｕ（Ｃ’(ｕ)／Ｃ(ｕ)）を推定することであり、ここで、Ｃ’(ｕ)は、セルＢがミュートされるときにユーザｕにより達成されるスペクトル効率であり、そしてＣ(ｕ)は、セルＢがミュートされるときにユーザｕにより達成されるスペクトル効率である。ｍａｘに代るものは、ＰＦ’(Ａ；Ｂ）＝ＰＦ（Ａ；Ｂ）*［ａｖｇｕ：Ｃ’(μ)／Ｃ(μ)＞ＴＣ’(μ)／Ｃ(μ)］である。セット｛ｕ：Ｃ’(μ)／Ｃ(μ)＞Ｔが空である場合には、ＰＦ’（Ａ；Ｂ）＝ＰＦ（Ａ；Ｂ）であり、即ちＰＦに利得はない。セルＢがあるリソースを既にミュートしている場合には、Ｃ’(μ)／Ｃ(μ)＝１であり、即ちＰＦ’（Ａ；Ｂ）＝ＰＦ（Ａ）を使用するだけである。
【０１２０】
セルＢが何もミュートしないときも作用する第３の選択肢は、ＰＦ（Ａ；Ｂ）＝Σｕ  ｗ（ｕ）、即ち非ゼロデータを伴うベアラの重みの和、を推定することであり、従って、前記第２の選択肢と同じ計算でＰＦ’（Ａ；Ｂ）を推定することである。
【０１２１】
別の実施形態は、メトリックをどのように計算して使用するかの変形例をなす。この実施形態では、各セルがセルＰＦ（又はある負荷メトリック）をその隣接セルと交換する。セルＰＦ＿Ａ及びセルＰＦ＿Ｂが２つのセルＡ及びＢのセルＰＦメトリックであると仮定する。従って、この例では、大きなセルＰＦを伴うセルだけが、小さなセルＰＦを伴うセルにミュートを行うよう要求する資格がある。更に、ピンポン作用を回避するためにスレッシュホールドを追加することができ：ａｒｇ−ｍａｘ｛セルＰＦ＿Ａ、セルＰＦ＿Ｂ｝＞ａｒｇ−ｍｉｎ｛セルＰＦ＿Ａ、セルＰＦ＿Ｂ｝＋スレッシュホールド、従って、ａｒｇ−ｍａｘ｛セルＰＦ＿Ａ、セルＰＦ＿Ｂ｝は、他のセルをミュートする資格がある。各セルにおいて、この実施形態は、Ｃ’／Ｃ＞ＴであるＵＥの断片も見る。但し、Ｔは、スレッシュホールドであり、Ｃ’は、トランスポートブロックサイズ（ＴＢＳ）であるか又はセルＢがミュートされるときのセルＡのＵＥの等価スペクトル効率であるが、Ｃは、対応するＴＢＳであるか、又はセルＢがミュートされないときのスペクトル効率である。セルが最小ＰＦを有する場合に、
−所与のセルは、その全ての隣接セルの中で最小ＰＦを有することが分かった場合に、追加のミューティングを行うことができる。それはセルＢであると仮定する。
−全ての隣接セルの中で、セルＢは、Ｃ’／Ｃ＞ＴであるＵＥの、２番目に最も小さい割合を有するセルを見る。但し、Ｃ’は、セルＢがミュートされていることを条件とするＵＥのＴＢＳである。
−セルＢの現在ミューティングの割合が前記バレットの数より少ない場合には、セルＢは、潜在的にその数までずっとそのミューティングを増加／減少する。或いは、その方向に増分的ステップをとることができる。
【０１２２】
セルがその少なくとも２つの隣接セルより小さいＰＦを有する場合：
【０１２３】
少なくとも２つの隣接セルより小さいＰＦを有するセルは、それ自身より大きなセルＰＦを有するセルの中で、Ｃ’／Ｃ＞１．５のＵＥとそのセル内の未ミュートのＰＲＢの数との積の値が２番目に最も小さいセルを取り上げる。次いで、ミューをするセルは、その数のＰＲＢをミュートするか、或いはミュートの量を増分ステップでその点に向けて増加又は減少する。
【０１２４】
本発明の更に別の実施形態は、周波数選択性スケジューリング（ＦＳＳ）利得をどのように利用するかに対処することができる。これは、異なるサブ帯域でユーザが達成できるスペクトル効率を異なるものにする周波数選択性フェージングをユーザ装置の無線チャンネルが経験するときに特に有用である。例えば、ある実施形態は、周波数選択性利得を最大にするためにどのサブ帯域又はＰＲＢをミュートすべきであるか決定し、そしてミュート利得と組み合わせて周波数選択性フェージングを考慮する。
【０１２５】
この実施形態によれば、各セルｉにおいて潜在的利得が計算される。例えば、各隣接セルｊ及び各ＲＢＧｒに対し、セルｉは、セルｊがＲＢＧｒにおいてミュートを行う場合にその潜在的利益Ｂ（ｉ、ｊ、ｒ）を計算する。先に述べたように、この利益は、基準ミューティング仮説に対して説明することができる。その結果、これら実施形態は、ＲＢＧｒにおけるユーザのチャンネル状態、並びにセルｊからのユーザの相対的干渉を考慮して、周波数選択性ミューティング利益を与えることができる。
【０１２６】
この実施形態では、利益が計算されるところのセルｊのセットは、セルの適当なセットＳ（ｉ）である。利益の計算は、スケジューラがどのように周波数選択性スケジューリング（ＦＳＳ）を遂行するかに基づき、従って、ミューティング利益の計算は、ＦＳＳスケジューラがＲＧＢをＵＥにどのように割り当てるかに関連したものとなり、そしてミューティング及び周波数選択性利得の両方に投資するのを許す。次いで、セルｉは、計算された利益Ｂ（ｉ、ｊ、ｒ）をセルｊ∈Ｓ（ｉ）へ送信する：「ＦＳＳアウェア利益メトリックリスト」（ＢＭＬ−ＦＳＳ）。
【０１２７】
更に、ペナルティ及び正味利益決定は、各セルｊにおいて行うことができる。例えば、セルｊは、ＲＢＧｒごとに利益メトリックリストＢ（ｉ、ｊ、ｒ）を受け取る。利益情報を所与のセルｊに送信するセルのセットは、セルｊのセルのセットＳ（ｊ）と同じでも同じでなくてもよい適当なセルのセットＲ（ｊ）である。セルｊは、ＲＢＧｒをミュートするためにそれ自身のペナルティＰ（ｊ、ｒ）を決定する。又、セルｊは、セルｊがＲＢＧｒにおいてミュートする場合にシステムに対する正味利益も決定する。例えば、Ｎ（ｊ、ｒ）＝Σｉ∈Ｒ（ｊ）Ｂ（ｉ、ｊ、ｒ）−Ｐ（ｊ、ｒ）である。一実施形態によれば、正味利益が負である場合に、セルｊは、ＲＢＧｒにおいてミュートしない。しかしながら、正味利益が正である場合には、セルｊは、ＲＢＧｒにおいてミュートすることができる。
【０１２８】
この実施形態によれば、ミューティングの決定は、次のように遂行される。セルｊがＲＢＧｒにおいてミュートを行う場合に、Ｒ（ｊ）における他のセルの中で、ＲＢＧｒにおいてミュートを行わねばならない（さもなければ、ミュート利益が失われる）ものは皆無である。同様に、ｊ∈Ｓ（ｉ）がミュートを行う場合には、セルｉは、ミュートを行ってはならない。又、所与のＲＢＧにおいてミュートを行うセル、例えば、ｉ*は、Ｓ（ｉ）における全てのセルの中で（又はＲ（ｉ）の中で）最大正味利益Ｎ（ｉ*、ｒ）をもたねばならない。これを達成するために種々の方法が提案されているが、セル間でメッセージを交換する形態が異なる。
【０１２９】
一実施形態によれば、任意のセルｉについて、Ｓ（ｉ）は、ミューティングでセルｉに利益を与えるセルの適当なセットである。典型的に、これらは、セルｉの隣接セルであるか、又は送信がセルｉと強く干渉するセルである。同様に、任意のセルｊについて、Ｒ（ｊ）は、セルｊのミューティングから利益を受けるセルの適当なセットである。この実施形態では、セルｊは、その正味利益を決定するのにＲ（ｊ）におけるセルの利益を考慮しなければならない。
【０１３０】
ある実施形態において、ｊ∈Ｓ（ｉ）である場合には、ｉ∈Ｒ（ｊ）、即ち対称的関係であるが、これは、他の実施形態において保持する必要がない。一般的に、所与のセルｉについて、Ｓ（ｉ）及びＲ（ｉ）は、種々の実施形態において異なることがある。周波数選択性フェージングが重要であるセルでは、セットＳ（ｉ）及びＲ（ｉ）は、一般的に、周波数サブ帯域又はＲＢＧごとに異なるが、典型的に、それらは、全てのＲＢＧについて同じである。
【０１３１】
この実施形態による一次ミューティング制約は、セルｊがミュートを行う場合に、理想的には、任意のセルｉ∈Ｒ（ｊ）も同じリソースにおいてミュートされてはならない、というものである。さもなければ、セルｉに対するセルｊのミューティングの利益が失われる。同様にこの例では、セルｊ∈Ｓ（ｉ）がミュートを行う場合に、セルｉは、ミュートを行ってはならない。しかしながら、ｊ∈Ｓ（ｉ）はｉ∈Ｒ（ｊ）を暗示するので、前記２つは、同等となる。
【０１３２】
この例では、局部的に最適なミューティングとは、セルｉがミュートを行う場合、理想的なセルｉは、その「局部的隣接セル」に最大正味利益を持たせるものでなければならないことを意味する。一次ミューティング制約により、ｉがミュートを行うと選択された場合に、Ｓ（ｉ）の他のセルで、ミュートを行うものはなく（同じ意味で、ｉ∈Ｒ（ｊ）のようなセルｊで、ミュートを行わねばならないものはなく）；さもなければ、ｉ以外のセルをミュートするのがよい。換言すれば、ｉは、ｉがＳ（ｉ）における全てのセルの最大正味利益を有する場合にミュートを行わねばならない。
【０１３３】
ある実施形態において、Ｓ（ｉ）（及びＲ（ｉ））は、干渉物の「第１リング」、即ちセルｉにおけるあるＵＥに対して最も強い干渉物であるセル、と考えられる。別の実施形態では、Ｓ（ｉ）及びＲ（ｉ）は、セルｉにおけるあるＵＥに対して最も強い又は２番目の強い干渉物であるセル、と考えられる。更に、ある実施形態は、二次ミューティング制約も合体し；セルｉの観点から、Ｓ（ｉ）における複数のセルは、同じリソースにおいてミュートを行ってはならない。さもなければ、セルｉは、全てのミューティングから利益を得ることができず、むしろ、セルｉは、それらセルのミューティングの１つから利益が得られるだけとなる。ある実施形態では、Ｓ（ｉ）は、セルｉにおけるあるＵＥの最も強い干渉物であるセルだけでなく、それらのセルにおけるあるＵＥの最も強い干渉物であるセルでも構成される。
【０１３４】
図１３は、一実施形態による方法の規範的フロー図である。この方法は、１３００において、ＲＢＧをミュートする正味利益をセルにおいて決定することを含む。次いで、１３１０において、この方法は、各セルにより、ＲＢＧごとの正味利益をその隣接セルに送信することを含む。これは、ＦＳＳアウェア正味利益メトリックリスト（ＮＢＭＬ−ＦＳＳ）と考えられる。１３２０において、この方法は、更に、隣接の適当なセルクラスターにおいてどのセルが最大正味利益を有するかに基づき、（セルにおいて）どのＲＢＧをミュートすべきか決定することを含む。この例では、セルは、正味利益が正でない限りミュートを行わない。ある実施形態では、この方法は、１３３０において、どの隣接セルが各ＴＴＩにどのリソースにおいてミューティングを行うかの知識を使用して、ＴＤ／ＦＤスケジューリングをセルにおいてＴＴＩで遂行することを含む。或いは又、決定ステップ１３００は、各セルのサブセット又は単一のセルについて遂行され、且つ各ＲＧＢのサブセット又は単一のＲＧＢについて実行され、そしてステップ１３１０での送信は、各セルのサブセット又は単一のセルに対して行われる（ステップ１３２０及び１３３０に同じことが適用される）。或いは又、ステップ１３３０は、各ＴＴＩのサブセット又は単一のＴＴＩにおいて行われてもよい。
【０１３５】
図１４は、一実施形態によるシグナリング図の一例を示す。説明上、一般的に、所与のセルｉの協調セットＳ（ｉ）及びＲ（ｉ）におけるセルをセルｉの隣接セルと称する。これは、セルが物理的に隣接している、或いはハンドオフ又は他の手順を実行するためにセル間に隣接関係がある、ということを必ずしも意味していないと理解されたい。この実施形態では、１４００において、セル１、セル２及びセル３は、各々、Ｓ（１）、Ｓ（２）及びＳ（３）において、隣接セル（‘ｎｂｒ’と省略）ごとに各ＲＢＧに対して、そのセルがそのＲＢＧをミュートした場合の利益を決定し、そしてｎｂｒごとに利益メトリックリスト（ＢＭＬ−ＦＳＳ）を計算する：（Ｂ１、Ｂ２、・・・ＢＮ）、但し、Ｎ＝ｎｕｍＲＢＧ。１４１０において、各セルｉは、利益メトリックリスト（ＢＭＬ−ＦＳＳ）をそのＳ（ｉ）における他の各セルに通信する。次いで、１４２０において、各セルは、各ＲＢＧに対する正味利益をＲ（ｉ）におけるｎｂｒの利益及びそれ自身のペナルティに基づいて決定する。１４３０において、各セルは、正味利益メトリックリスト（ＮＢＭＬ−ＦＳＳ）をその協調クラスター内の他の各セルに通信する。１４４０において、各セルは、各ＲＢＧにおいて誰の正味利益が最大であるかに基づき、各ＲＢＧにおいて誰がミュートを行うか決定する。この例では、正味利益が正でない限りセルはミュートされてはならない。１４５０において、各セルは、どのセルが各ＲＢＧにおいてミュートされるかの知識でスケジュールを行う。従って、この実施形態では、所与のセルは、どのセルがどのＲＢＧにおいてミュートを行うか決定することができ、単に所与のセルが所与のＲＢＧにおいてミュートを行うかどうか決定するのではない。
【０１３６】
別の実施形態は、利益の非ＧＢＲ計算を含む。この実施形態では、各セルｉにおいて、セルｉが、セルｊがＲＢＧｒに対して潜在的にミュートを行うことによるその利益Ｂｉ、ｊ（ｒ）を計算するとき、ＦＳＳアウェア利益は、Ｂｉ、ｊ（ｒ）＝ΔＰＦｉ、ｊ（ｒ）＝ＰＦｉ、ｊ（ｒ）−ＰＦｉ（ｒ）として計算され、但し、ＰＦｉ、ｊ（ｒ）＝セルｊがＲＢＧｒに対してミュートを行った場合にセルｉがＲＢＧｒに対して達成できるｍａｘＰＦであり（協調クラスター内の他のセルがＲＢＧｒに対してミュートを行わないと仮定して）、そしてＰＦｉ（ｒ）＝協調クラスター内のセルがＲＢＧｒに対してミュートを行わない場合にセルｉがＲＢＧに対して達成できるｍａｘＰＦである。重要な特徴は、利益の計算に使用される「ｍａｘＰＦ」が、周波数選択性スケジューリング（ＦＳＳ）についてスケジューラにより使用される同じ判断ルールに基づく、ことである。従って、ミューティング利益の計算は、ＦＳＳスケジューラがＲＢＧをＵＥにどのように割り当てるかに関連している。これは、ミューティング利得及び周波数選択性スケジューリング利得を得る能力を最大にする。セルｉは、セルｊのミューティングに対して、ＲＢＧごとの利益のリスト：（Ｂｉ、ｊ（１）、Ｂｉ、ｊ（２）、・・・Ｂｉ、ｊ（Ｎ））を有し、これは、ＦＳＳ（ＢＭＬ−ＦＳＳ）に対する利益メトリックリストである。セルｉは、このＢＭＬ−ＦＳＳをそのＳ（ｉ）における各セルｊに送信する。
【０１３７】
更に、この実施形態によれば、各セルｊにおいて、ＢＭＬ−ＦＳＳがそのＲ（ｊ）における各セルｉから受け取られ、そして各セルｊは、その隣接セルに対する合計利益、即ちΣｉ≠ｊ  Ｂｉ、ｊ（ｒ）を計算する。ＲＢＧｒごとに、セルｊは、それ自身のペナルティ：Ｐｊ（ｒ）＝ＲＢＧｒに対してセルｊが達成できるｍａｘＰＦ、を計算する（ミューティングがないと仮定して）。次いで、セルｊは、その正味メトリックΔＢｊ（ｒ）＝Σｉ≠ｊ  Ｂｉ、ｊ（ｒ）−Ｐｊ（ｒ）を計算し（ＲＢＧごとに１つの値）、これは、正味利益メトリックリスト（ＮＢＭＬ−ＦＳＳ）である。
【０１３８】
次いで、どのセルがどのＲＢＧをミュートするか決定される。各セルｊは、その正味利益メトリック（全ＲＢＧに対する）をそのＲ（ｊ）における全隣接セルに通信する。各セルｉにおいて、正味利益がそのＳ（ｉ）における全てのセルｊから受け取られる（全てのＲＢＧに対して）。セルｉは、誰が各ＲＢＧに対するｍａｘであるか決定する：Ｍ*（ｒ）＝ａｒｇ  ｍａｘｊΔＢｊ（ｒ）。ＲＢＧｒに対する最大利益が正である場合には、セルＭ*（ｒ）がそのＲＢＧに対してミュートを行い；さもなければ、そのＲＢＧに対してミュートが行われない。次いで、セルｉは、各ＲＢＧに対して誰がミュートを行うかを知ってチャンネルアウェアスケジューリング（ＦＳＳ）を行うように進む。セルｉ自身がミュートを行う場合には、セルｉは、そのＲＢＧに対して誰もスケジューリングしない。
【０１３９】
別の実施形態では、ＲＢＧｒ  Ｎ（ｊ、ｒ）における各セルｊの正味利益の計算は、前記実施形態と同様であるが、どのセルがどのＲＢＧに対してミュートを行うかをどのように決定するかについてある程度の相違がある。この別の実施形態では、どのセルが各ＴＴＩに対して各ＲＢＧに対して「最大正味利益」を有するか直接決定されない。むしろ、この実施形態では、各セルは、ある時間における各ＲＢＧに対するその正味利益を計算し、そしてあるＲＢＧに対するその正味利益が、どんなセルが現在そのＲＢＧをミュートするかについての正味利益より大きい場合には、セルがミューティングを請求する（及び他のセルがミューティングを停止する）。
【０１４０】
例えば、各セルｉにおいて、セルｉの利益Ｂｉ、ｊ（ｒ）は、任意の非同期エポック（必ずしもデッドライン境界ではない）における任意の隣接セルｊに対して計算される。セルｉは、セルｊがＲＢＧｒに対して潜在的にミュートを行うことによるその利益Ｂｉ、ｊ（ｒ）を計算し：Ｂｉ、ｊ（ｒ）＝ΔＰＦｉ、ｊ（ｒ）＝ＰＦｉ、ｊ（ｒ）−ＰＦ（ｒ）、但し、ＰＦｉ、ｊ（ｒ）＝セルｊがＲＢＧｒに対してミュートを行った場合にセルｉがＲＢＧｒに対して達成できるｍａｘＰＦであり（他の隣接セルがＲＢＧｒに対してミュートを行わないと仮定して）、そしてＰＦｉ（ｒ）＝隣接セルがＲＢＧｒに対してミュートを行わない場合にセルｉがＲＢＧｒに対して達成できるｍａｘＰＦである。セルｉは、セルｊのミューティングに対して、ＲＢＧ当りの利益のリスト：（Ｂｉ、ｊ（１）、Ｂｉ、ｊ（２）、・・・Ｂｉ、ｊ（Ｎ））を有し、これは、ＦＳＳ（ＢＭＬ−ＦＳＳ）に対する利益メトリックリストである。セルｉは、このＢＭＬ−ＦＳＳリストをセルｊ（デッドライン境界ではない）に送信する。
【０１４１】
各セルｊにおいて、ＢＭＬ−ＦＳＳは、種々の時間にセルｊのＲ（ｊ）における各隣接セルから受け取られる（それらが非同期であるために）。ある非同期時間に、セルｊは、各セルから受け取られた最小のＢＭＬ−ＦＳＳに基づきそのＲ（ｊ）のセルに対する合計利益（即ち、Σｉ≠ｊ  Ｂｉ、ｊ（ｒ））を計算する。ＲＢＧｒごとに、セルｊは、それ自身のペナルティを計算する：Ｐｊ（ｒ）＝ＲＢＧｒに対してセルｊが達成できるｍａｘＰＦ（ミューティングがないと仮定して）。セルｊは、次いで、その正味利益メトリックΔＢｊ（ｒ）＝Σｉ≠ｊ  Ｂｉ、ｊ（ｒ）−Ｐｊ（ｒ）を計算し（ＲＢＧごとに１つの値）、これは、正味利益メトリックリスト（ＮＢＭＬ−ＦＳＳ）である。
【０１４２】
セルｊがまだミューティングをしていない各ＲＢＧｒに対し、セルｊは、その正味利益を、そのＳ（ｊ）内のどんなセルが現在ＲＢＧｒをミュートしているかの（既に通知された）正味利益と比較する。ＲＢＧｒに対するセルｊの正味利益＞ＲＢＧｒをミューティングしているセルの最後に通知された正味利益、の場合には、セルｊは、ＲＢＧｒを「請求すべきミューティング権」としてマークする。セルｊは、次いで、各ＲＢＧｒについて、セルｊがそのＲＢＧに対するミューティング権を請求するかどうか（１ビット）、及びどのセルｊがミューティングを行うかについて（新たに請求されたミューティング又は既に存在するミューティング）、そのＲＢＧに対するセルｊの新たな正味利益を指示するメッセージをそのＳ（ｊ）内の全てのセルに送信する。
【０１４３】
各セルｉにおいて、各ＴＴＩに、セルｉは、誰が各ＲＢＧに対してミュートを行うかを知ってチャンネルアウェアスケジューリング（ＦＳＳ）を遂行するように進む。セルｉそれ自身がミュートを行う場合には、セルｉは、そのＲＢＧに対して誰もスケジュールしない。所与のセル（例えば、セル１）により行われる通信及び決定は、他のセル（例えば、セル２及びセル３）による対応する通信及び決定と厳密に同時に行う必要はないことを理解されたい。例えば、セル１は、セル２及びセル３がそれらの情報をセル１にいつ通信するかについて何ら制約を伴わずに、セル２及びセル３から受け取った最新の情報を使用して、それらのアクションを行う。
【０１４４】
図１５は、一実施形態によるシグナリング図の一例である。この例では、１５００において、セル２がＲＢＧに対するミューティング及び正味利益をセル１及び３に通知する。１５１０において、セル２は、あるＲＢＧに対してミュートすることを最初に仮定する。１５２０において、各ＲＢＧ及びそのＳ（２）内の各ｎｂｒに対し、セル２は、そのセルがそのＲＢＧをミュートした場合の利益を決定し、そして各ｎｂｒ  ｉに対する利益メトリックリスト（ＢＭＬ−ＦＳＳ）：（Ｂ２１（１）、Ｂ２１（２）、・・・Ｂ２１（Ｎ））を形成する。但し、Ｎ＝ｎｕｍＲＢＧである。次いで、１５４０において、セル２は、そのＢＭＬ−ＦＳＳをセル１に報告する。同様に、１５３０において、各ＲＢＧ及びそのＳ（３）内の各ｎｂｒに対し、セル３は、そのセルがそのＲＢＧをミュートした場合の利益を決定し、そして各ｎｂｒ  ｉに対する利益メトリックリスト（ＢＭＬ−ＦＳＳ）：（Ｂ３１（１）、Ｂ３１（２）、・・・Ｂ３１（Ｎ））を形成する。但し、Ｎ＝ｎｕｍＲＢＧである。１５４５において、セル３は、そのＢＭＬ−ＦＳＳをセル１に報告する。
【０１４５】
図１５の例を続けると、１５５０において、セル１は、そのＲ（１）内のセルの利益に基づく各ＲＢＧに対する正味利益、及びそれ自身のペナルティを決定する。次いで、１５６０において、セル１がミュートしていない各ＲＢＧに対し、正味利益が、そのＲＢＧを現在ミュートしているセルの正味利益より大きいかどうか（及び正味利益が正であるかどうか）決定する。１５７０において、セル１は、ＲＢＧに対するミューティング及び正味利益をセル２及び３に通知する。セル１、２及び３の各々は、次いで、１５８０において、誰が各ＲＢＧに対してミュートするかを知ってスケジュールを行う。
【０１４６】
更に別の実施形態によれば、ＲＢＧｒ  Ｎ（ｊ、ｒ）に対する各セルｊの正味利益の計算は、前記実施形態と同様であるが、どのセルがどのＲＢＧに対してミュートするかをどのように決定するかについてある程度の相違がある。この実施形態では、各セルｊは、スレッシュホールドＤ（ｊ）（又はＤ（ｊ、ｒ）を有する。ＲＢＧ  Ｎ（ｊ、ｒ）に対する正味利益がスレッシュホールドＤ（ｊ、ｒ）より大きい場合には、セルは、ＲＢＧｒに対してミュートすることができる。スレッシュホールドＤ（ｊ、ｒ）は、構成された演算子又は動的に発見された演算子である。動的な発見の１つの形態は、次のものを含む。各セルは、現在Ｄ（ｊ、ｒ）を有し、そしてセルは、その正味利益がＤ（ｊ、ｒ）より大きいことが分かると、ＲＢＧｒをミュートし、その正味利益を通知するメッセージを他のセルに送信する。他のセルは、そのセルの正味利益を、それらがミュートを希望する場合に越えねばならないＤ（ｊ、ｒ）として処理する。従って、スレッシュホールドは、どちらのセルが現在ミュートしているかに動的に結び付けられる。従って、この実施形態は、セルが、その局部的隣接部のセルの間で必ずしも最大ネット利益を有していなくても、ミュートを行うことを許す（正味利益がスレッシュホールドより大きい限り）。
【０１４７】
上述した実施形態の少なくとも幾つかは、情報の「全交換」を行わねばならないことを暗示している。しかしながら、ある実施形態は、そのように限定されず、ここに述べる方法は、部分的な情報でも機能することができる。例えば、利益メトリックリスト（ＢＭＬ−ＦＳＳ）が所与の隣接セルに送信されるとき、全てのＲＢＧｒを含ませる必要はなく、利益計算が更新されたものだけ送信すればよい。セルｊは、その正味利益を決定するときに、そのＲ（ｊ）セット内の全てのセルから全ＢＭＬ−ＦＳＳを得る必要はない。例えば、セルのあるサブセットのみからの受信情報を有する場合には、それらのセルからの更新情報及び他のセルからの最後に知られた情報を使用することができる。情報が著しく古いと、古臭いものとして破棄することができる。同様に、正味利益の決定及びミューティング判断は、全てのＲＢＧにおいて一度に実行する必要はなく、一度に幾つかのＲＢＧに対して実行され、計算負荷を分散させる。
【０１４８】
以上に鑑み、前記実施形態は、スケジューラが周波数選択性スケジューリング利得をどのように最大にするかと同期してミューティング判断を選択することによりミューティングの潜在的利益を最大にすることができる。換言すれば、幾つかの実施形態によれば、ミューティング利益の計算は、ＦＳＳスケジューラがＲＢＧをＵＥにどのように割り当てるかに関連され、ミューティング及び周波数選択性利得の両方に投資することを許す。
【０１４９】
上述した実施形態の幾つかにおいて、共同最適化が遂行されるところのセルのセット（クラスター、協調クラスター又は協働エリアとして様々に知られている）は、所定のセット｛セル１、セル２、・・・セルＮ｝である。これは、この分野での共通の仮定である。ネットワーク内のセルの全セットは、セット｛セル１、セル２、・・・セルＮ｝のようなクラスターに区分化されると考えられる。所与のセルは、せいぜい１つのセルクラスターの一部分であり、２つのクラスターが重畳することはない。そのようなクラスターの定義は、非重畳クラスターと称される。
【０１５０】
所与のセルｋに対するそのようなクラスター定義では、ミューティング仮説の選択の共同最適化は、クラスター内の他のセルがミュートされるときに各セルの利益（又はペナルティ）を考慮して行われる。即ち、セルｋが、セルｋと同じクラスターの部分でない強力な干渉物を有する場合には、それらの干渉物をミュートすることから考えられる利益は、最適なミューティング判断を決定するときに考慮されない。実際に、セルｋの観点から、クラスターの外側の強力な干渉物がミュートされるときのＵＥのチャンネル状態情報レポート（ＣＳＩ）は、ミューティング判断の利益又は最適化を決定するために利用することができない。ここで、ＣＳＩは、典型的に、セルに対してＵＥがどんな現在無線チャンネル品質を経験するかセルに通知するためにＵＥにより送信されるレポートである。ＵＥにより報告されるＣＳＩは、他の幾つかのセルに対してＵＥが経験する無線チャンネル品質に関する情報も含む。従って、クラスターをセルの非重畳セットとして定義する従来の方法の主たる欠点は、多数のセルに対して、共同最適化を行うときにそれら強力な干渉物が全て考慮されるのではないことである。
【０１５１】
これは、図１６に示されており、ネットワークにおけるセルのセットは、３つの隣接する３セクターサイトで構成された９個のセルの非重畳クラスターに区分化される。１つのそのようなクラスターが図１６に示されている。図１６の例から明らかなように、クラスターの「境界」セルは、同じクラスターの一部分である強力な干渉物のサブセットのみとのミューティング最適化に関与する。しかし、それは、著しい数の強力な干渉物を除外する。
【０１５２】
セルの非重畳クラスターではなく、クラスターを定義するより柔軟な方法は、所与のセルの観点から協働セルのセットを考慮することであり、即ち、所与のセルが協調すべきセルのセットを考慮することである。従って、セルのクラスターを所与の各セルと関連付けることができる。
【０１５３】
図１７は、この概念を示すものである。図１７には、種々のセルが示されている。実線で接続されて示されたセルは、互いに協調するが、接続されて示されていないセルは、協調しない。実線の円で示された領域は、セル１が協調するセルのセット（即ち、セル１に関連したクラスター）を含むが、破線の円で示された領域は、セル２が協調するセルのセット（即ち、セル２に関連したクラスター）を含む。セル１があるアクションを行うべきかどうか決定すべきときには、セル１に関連したクラスター内のセル間に協調が生じる。協調の目的として、セル１は、セル１に関連したクラスターのセルとメッセージを交換する。対応的に、セル２があるアクションを行うべきかどうか決定すべきときには、セル２に関連したクラスター内のセル間に協調が生じ、セル２は、セル２に関連したクラスターのセルとメッセージを交換する。図ＤＥＦにおいて、セル２は、セル２は、セル１に関連したクラスターの一部分であり、一方、セル１は、セル２に関連したクラスターの一部分である。しかしながら、セル１に関連したクラスターには、セル２に関連したクラスターの部分ではない１つ以上のセル、例えば、セル３がある。同様に、セル２に関連したクラスターには、セル１に関連したクラスターの部分ではない１つ以上のセル、例えば、セル８がある。先に述べたように、「セル」という語は、ベースステーション、ｅＮｏｄｅＢ（ｅＮＢ）、送信器又はネットワーク要素のような種々の語と交換可能に使用される。
【０１５４】
（前記セル１又はセル２により）行われるアクションは、リソースの所与のセットに関連している。セル間で交換される協調メッセージも、リソースの所与のセットに関連している。セル１に関連したクラスターは、リソースの所与のセットに関連したアクションを協調させる目的のものであり、従って、セル２に関連したクラスターもそうである。従って、１つ以上のセルによりアクションが行われるリソースの所与のセットにおいて、セルに関連したクラスターは、上述した特徴を有する。換言すれば、リソースの所与のセットに関連する１つ以上のセルによるアクションの協調を考慮した場合に、リソースの所与のセットに関連するアクションを行うために協調させるセルのクラスターは、非重畳ではない。
【０１５５】
図１７に示す特徴をもつクラスター構成は、リキッドクラスターと称される。あるアクションを行うための協調の目的でリキッドクラスターに関連したセル又は他のネットワーク要素に対して次の特徴を示すことができる。そのようなネットワーク要素は、ネットワーク要素によりアクションを行うことに関連してネットワーク要素の第１セットから協調メッセージを受け取るように構成される。ネットワーク要素によるアクションは、リソースの第１セットに関するものである。ネットワーク要素の第１セットは、第２のネットワーク要素を含む。第２のネットワーク要素は、第２のネットワーク要素によりアクションを行うことに関連してネットワーク要素の第２セットから協調メッセージを受け取るように構成される。第２のネットワーク要素によるアクションも、リソースの第１セットに関するものである。ネットワーク要素の第２セットは、ネットワーク要素を含む。更に、次のうちの少なくとも１つは、真である。即ち、ネットワーク要素の第１セットは、ネットワーク要素の第２セットに含まれない少なくとも１つのネットワーク要素を含むか、又はネットワーク要素の第２セットは、ネットワーク要素の第１セットに含まれない少なくとも１つのネットワーク要素を含む。
【０１５６】
これらの特徴により、いずれか１つのセル又はネットワーク要素に関連したリキッドクラスターは、一般的に、別のセル又はネットワーク要素に関連したリキッドクラスターとは異なり、そして２つのセルのリキッドクラスターは、重畳する。セルは、複数の他のセルに関連したリキッドクラスターの一部分である。上述したネットワーク要素によるアクションは、送信をミュートすること、オン期間を変更すること、送信電力を減少すること、送信をビームフォーミングすること、送信モード又はある送信のランクを制約すること、等、の１つを含む。アクションは、更に、クラスターのセルの中からユーザ装置に対する適当な送信点の決定、又は１つ以上のユーザ装置に対するキャリアアグリゲーション、又は負荷バランス、或いはエンハンストセル間干渉協調に使用されるほぼブランクのサブフレームパターンのような干渉協調パターンの適応、等の１つを含む。ネットワーク要素によって受け取られる協調メッセージは、ここに述べる種々の実施形態におけるメッセージ、又は前記アクションの１つに対する協調に関する他のメッセージ、のいずれか１つである。更に、複数のリキッドクラスターが所与のネットワーク要素に関連している。例えば、所与のネットワーク要素が、その所与のネットワーク要素に関連した第１のリキッドクラスター内のセルから第１の協調メッセージを受信する一方、所与のネットワーク要素が、そのネットワーク要素に関連した第２のリキッドクラスター内のセルから第２の協調メッセージを受信するようなアクションの協調も意図される。又、前記リキッドクラスターに関連したネットワーク要素は、協調メッセージを受信するのではなく（又はそれに加えて）、協調メッセージを送信することにも注意されたい。又、協調メッセージを送信する目的で所与のセルに関連したリキッドクラスターであって、協調メッセージを受信する目的で所与のセルに関連したリキッドクラスターとは異なるリキッドクラスターも意図される。更に、協調シーケンスの異なるステップにおいて、セルは、セルに関連した異なるリキッドクラスターと相互作用することがある。更に、単一のセルではなくセルのグループに関連し、前記と実質的に同様の特徴をもつリキッドクラスターも意図される。従って、例えば、一対のネットワーク要素に関連したリキッドクラスターが意図される。そのようなクラスター構成では、一対のネットワーク要素における一方又は両方のネットワーク要素は、一対のネットワーク要素の一方又は両方によりアクションを行うことに関してネットワーク要素の第１セットから協調メッセージを受信するように構成される。一対のネットワーク要素の一方又は両方によるアクションは、リソースの第１セットに関するものである。ネットワーク要素の第１セットは、第２対のネットワーク要素の１つである第２のネットワーク要素を含む。この第２のネットワーク要素は、第２対のネットワーク要素の一方又は両方によりアクションを行うことに関してネットワーク要素の第２セットから協調メッセージを受信するように構成される。第２対のネットワーク要素の一方又は両方によるアクションも、リソースの第１セットに関するものである。ネットワーク要素の第２セットは、一対のネットワーク要素の一方又は両方を含む。更に、次のうちの少なくとも１つは真である。即ち、ネットワーク要素の第１セットは、ネットワーク要素の第２セットに含まれない少なくとも１つのネットワーク要素を含むか、又はネットワーク要素の第２セットは、ネットワーク要素の第１セットに含まれない少なくとも１つのネットワーク要素を含む。
【０１５７】
例えば、所与のセルについて、その所与のセルに関連したリキッドクラスターは、その所与のセル内のあるＵＥの強力な干渉物である全ての隣接セルのセットを含む。強力な干渉物は、最も強力な干渉物、又はある適当なＮ値について最上位Ｎ個の干渉物の１つ、等として識別される。又、所与のセルに関連したリキッドクラスターは、同じ送信周波数又は異なる送信周波数において所与のセルとのカバレージが重畳する隣接セルも含む（例えば、異種ネットワーク展開のケースでは、ピコセル又はマクロセルを含む）。
【０１５８】
図１８は、ある実施形態によるリキッドクラスターの一例を示す。正六角形格子のセルでは、所与のセルの強力な干渉物は、典型的に、所与のセルを取り巻く６個のセルである。図１８の例では、セル１８００のリキッドクラスターは、円１８０１内のセルのセット（即ち、六角形セルグリッドにおけるセル１８００及びそれを取り巻く６つの隣接セル）として定義され、これは、セル１８０５を含む。このリキッドクラスター構成は、ここでは、７セルリキッドクラスターと称される。対応的に、セル１８０５のリキッドクラスターは、円１８１０内のセルのセット（即ち、セル１８０５を取り巻く６つの隣接セル）として定義され、これは、セル１８００を含む。従って、各セルは、共同最適化の目的でそれが協調させるところのセルのそれ自身のリキッドクラスターを有する。あるセルのリキッドクラスターは、別のセルのリキッドクラスターと重畳し、そして所与のセルは、複数の他のセルのリキッドクラスターの一部分である。
【０１５９】
リキッドクラスターの使用は、非重畳クラスターのケースのように干渉物のサブセットだけではなく、強力な干渉物のいずれかをミュートすることによってセルに対する利益を合体することでミューティング判断を最適化する能力により著しい利益をもたらす。
【０１６０】
図１９は、リキッドクラスターに関連したセルがミューティング仮説決定の目的で協調を行う実施形態を示す。セル２及び３は、セル１に関連したリキッドクラスターにあり、そしてその各々は、セル１のリキッドクラスターにないセルを含むそれ自身の関連リキッドクラスターを有する。１９００において、セル１は、各潜在的なミューティング仮説に対する利益メトリックを決定する。ここで、セル１により考慮される当該潜在的ミューティング仮説は、セル１に関連したリキッドクラスター内の他のセルによるミューティングに対応する。セル１による利益メトリックの決定は、ここに述べるいずれかの実施形態により行われる。１９１０において、セル１は、特定のセルがミュートを行うという仮説のもとにある場合にそのリキッドクラスター内の各セルにその利益メトリックを通信する。１９２０において、セル１は、他のセルから受け取られる利益メトリックに基づいてその正味利益を決定すると共に、ミューティングのためにセル１により被るペナルティを決定する。１９３０において、セル１は、そのリキッドクラスター内の他のセルにその正味利益を通信する。１９４０において、セル１は、例えば、リキッドクラスター内のセルの中で最大正味利益を有するかどうか決定することにより、それ自身の正味利益、及びそのリキッドクラスター内の他のセルの正味利益に基づき、ミュートを行うかどうか決定する。或いは又、セル１は、単に、それ自身の正味利益が充分に高いかどうか、又はそれ自身の正味利益が正であるかどうかに基づいて、ミュートを行うかどうか決定する。１９５０において、セル１は、そのミューティングの決定をそのリキッドクラスター内の他のセルに通信する。１９６０において、セル１は、そのリキッドクラスター内の他のどのセルがミューティングを行うかの知識に基づいてそのユーザ間にリソースを割り当てる。セル１により行われるステップと共に、セル２及び３のような他のセルでも同様のステップが行われる。例えば、１９００でのセル１のアクションと同様に、セル２及びセル３も、各潜在的ミューティング仮説に対してそれらの利益メトリックを決定し、ここで、所与のセルにより考慮される潜在的仮説は、そのセルに関連したリキッドクラスター内のセルによるミューティングに対応する。１９１０でのセル１のアクションと同様に、セル２及びセル３も、それらの利益メトリックをそれらの各リキッドクラスター内の他の各セルに通信し、ここで、再び、所与のセルに送られる利益メトリックが、その所与のセルがミュートされる仮説、等に対して計算される。それらのステップは、セル１及び他のセルにより周波数選択的な仕方で実行されることを理解されたい。例えば、利益及びペナルティメトリックを周波数選択的な仕方で計算することにより、典型的に、ＵＥから受け取られた周波数選択的チャンネル状態情報を使用して、周波数サブ帯域ごとに個別の利益及びペナルティメトリックが決定される。典型的に、このケースでは、セル１によるミューティングの決定は、周波数サブ帯域ごとに別々に行われる。
【０１６１】
図２０は、一実施形態による装置１０の一例を示す。ある実施形態では、装置１０は、ネットワーク要素である。例えば、装置１０は、非集中型又は集中型ネットワーク要素である。更に、当業者であれば、装置１０は、図２０に示されていないコンポーネント又は特徴を含むことが理解されよう。図２０には、本発明の説明上必要なコンポーネント又は特徴しか示されていない。
【０１６２】
図２０に示すように、装置１０は、情報を処理し及びインストラクション又はオペレーションを実行するためのプロセッサ２２を備えている。プロセッサ２２は、任意の形式の汎用又は特殊目的プロセッサでよい。図２０には、単一のプロセッサ２２が示されているが、他の実施形態では、複数のプロセッサが使用される。実際に、プロセッサ２２は、例えば、汎用コンピュータ、特殊目的コンピュータ、マイクロプロセッサ、デジタル信号プロセッサ（ＤＳＰ）、フィールドプログラマブルゲートアレイ（ＦＰＧＡ）、特定用途向け集積回路（ＡＳＩＣ）、及びマルチコアプロセッサアーキテクチャーをベースとするプロセッサ、の１つ以上を含む。
【０１６３】
装置１０は、更に、プロセッサ２２によって実行される情報及びインストラクションを記憶するためにプロセッサ２２に結合されるメモリ１４も備えている。メモリ１４は、ローカルアプリケーション環境に適した形式の１つ以上のメモリであり、半導体ベースのメモリ装置、磁気メモリ装置及びシステム、光学的メモリ装置及びシステム、固定メモリ、並びに除去可能なメモリのような適当な揮発性又は不揮発性データストレージ技術を使用して実施される。例えば、メモリ１４は、ランダムアクセスメモリ（ＲＡＭ）、リードオンリメモリ（ＲＯＭ）、磁気又は光学的ディスクのようなスタティックストレージ、又は他の形式の非一時的マシン又はコンピュータ読み取り可能な媒体の組み合わせで構成される。メモリ１４に記憶されるインストラクションは、プロセッサ２２により実行されたときに、装置１０がここに述べるタスクを実行できるようにするプログラムインストラクション又はコンピュータプログラムコードを含む。
【０１６４】
又、装置１０は、信号及び／又はデータを装置１０から送信し及び受信するために１つ以上のアンテナ２５も備えている。更に、装置１０は、情報を送信及び受信するように構成されたトランシーバ２８も備えている。例えば、トランシーバ２８は、アンテナ２５により送信するためにキャリア波形に情報を変調し、及びアンテナ２５を経て受信した情報を、装置１０の他の要素による更なる処理のために復調する、ように構成される。他の実施形態では、トランシーバ２８は、信号又はデータを直接的に送信及び受信することができる。
【０１６５】
プロセッサ２２は、装置１０のオペレーションに関連した機能を遂行し、これは、アンテナ利得／位相パラメータをプリコードし、通信メッセージを形成する個々のビットをエンコード及びデコードし、情報をフォーマットすることを含むが、これに限定されず、そして装置１０の全体的制御は、通信リソースの管理に関連したプロセスを含む。
【０１６６】
一実施形態では、メモリ１４は、プロセッサ２２により実行されたときに機能を発揮するソフトウェアモジュールを記憶する。それらモジュールは、例えば、装置１０のためのオペレーティングシステム機能を発揮するオペレーティングシステムを含む。又、メモリは、装置１０のための付加的な機能を発揮するアプリケーション又はプログラムのような１つ以上の機能的モジュールも記憶する。装置１０のコンポーネントは、ハードウェアで実施されるか又はハードウェア及びソフトウェアの適当な組み合わせとして実施される。
【０１６７】
ある実施形態では、装置１０は、ベースステーション又はアクセスポイントのような非集中型又は集中型ネットワーク要素である。ある実施形態では、装置１０は、ネットワーク要素のセルに関連したアクションを行うとき及び／又は第２のネットワーク要素のセルに関連したアクションを行うときにネットワーク要素のセルに対して計算されたインパクト情報を送信し、及び／又は第２のネットワーク要素のセルに関連したアクションを行うための要求を送信するように、メモリ１４及びプロセッサ２２によって制御される。そのアクションは、送信をミュートすること、オン期間を変更すること、送信電力を変更すること、送信をビームフォーミングすること、及び／又は送信モード又は送信のランクを変更することを含む。インパクトは、利益／ペナルティ情報を含む。利益／ペナルティ情報は、アクションのためのリソースの量、アクションのための特定周波数リソースの指示、アクションのための特定周波数サブ帯域リソースの指示、アクションのための特定時間の指示、及び／又はアクションのための期間の指示を含む。ある実施形態では、利益／ペナルティ情報は、特定ユーザ装置に基づいて計算される。ある実施形態によれば、装置１０は、計算されたインパクト情報に基づいて正味利益を計算しそして正味利益を第２のネットワーク要素に送信するようにメモリ１４及びプロセッサ２２により制御される。
【０１６８】
別の実施形態では、装置１０は、第２のネットワーク要素のセルに関連したアクションを行うとき及び／又はネットワーク要素のセルに関連したアクションを行うときに第２のネットワーク要素のセルに対するインパクト情報を受信し、ネットワーク要素のセルに関連したアクションを行うために第２のネットワーク要素から要求を受信し、及び／又はネットワーク要素のセルに関連したアクションを行うために中央ネットワーク要素からコマンドを受信するように、メモリ１４及びプロセッサ２２によって制御されるネットワーク要素である。装置１０は、更に、少なくとも受信したインパクト情報、コマンド又は要求の１つに基づいてネットワーク要素のセルに関連したアクションを行うように、メモリ１４及びプロセッサ２２によって制御される。
【０１６９】
この実施形態によれば、装置１０は、アクションを行うために利益／ペナルティを計算し、受信したインパクト情報及び計算された利益／ペナルティ情報に基づいて正味利益を計算し、及び／又は計算された正味利益に基づいてアクションを行うべきかどうか決定するように、メモリ１４及びプロセッサ２２によって制御されるネットワーク要素である。装置１０は、アクションが行われる特定のリソースを決定することによりアクションを行うべきかどうか決定するようにメモリ１４及びプロセッサ２２により制御される。更に、一実施形態において、アクションを行うべきかどうかの決定は、更に、少なくとも１つの他のネットワーク要素から正味利益情報を受信し、そして計算された正味利益と、少なくとも１つの他のネットワーク要素から受信された正味利益情報との比較に基づいてアクションを行うことを決定する、ことを含む。更に、装置１０は、アクションを行う決定の通知を少なくとも１つの他のネットワーク要素に通信するようにメモリ１４及びプロセッサ２２によって制御される。
【０１７０】
別の実施形態では、装置１０は、コアネットワーク要素のような集中型のネットワーク要素である。この実施形態によれば、装置１０は、第１のネットワーク要素のセルに関連したアクションを行うか又は第２のネットワーク要素のセルに関連したアクションを行うときに第１のネットワーク要素のためのセルに対するインパクト情報を第１のネットワーク要素から受信し、及び／又は第２のネットワーク要素のセルに関連したアクションを行うための要求を受信するように、メモリ１４及びプロセッサ２２により制御される。装置１０は、更に、受信したインパクト情報及び／又は要求に基づき第２のネットワーク要素のセルに関連したアクションを行うためのコマンドを送信するようにメモリ１４及びプロセッサ２２により制御される。インパクト情報は、利益情報、ペナルティ情報、又は正味利益情報の少なくとも１つを含む。
【０１７１】
別の実施形態は、ネットワーク要素のセルに関連したアクションを行うとき及び／又は第２ネットワーク要素のセルに関連したアクションを行うときネットワーク要素のセルに対して計算されたインパクト情報を送信し、及び／又は第２ネットワーク要素のセルに関連したアクションを行う要求を送信するための送信手段５０を備えたネットワーク要素である装置４０に向けられる。アクションは、送信をミュートすること、オン期間を変更すること、送信電力を変更すること、及び／又は送信をビームフォーミングすること、を含む。インパクトは、利益／ペナルティ情報を含む。利益／ペナルティ情報は、アクションのためのリソースの量、アクションのための特定周波数リソースの指示、アクションのための特定周波数サブ帯域リソースの指示、アクションのための特定時間の指示、及び／又はアクションのための期間の指示を含む。ある実施形態では、利益／ペナルティ情報は、特定ユーザ装置に基づいて計算される。ある実施形態によれば、装置４０は、計算されたインパクト情報に基づいて正味利益を計算するための計算手段５１も備え、そして送信手段５０は、正味利益を第２のネットワーク要素に送信する。
【０１７２】
別の実施形態では、装置４０は、第２ネットワーク要素のセルに関連したアクションを行うとき及び／又はネットワーク要素のセルに関連したアクションを行うとき第２ネットワーク要素のセルに対するインパクト情報を受信し、ネットワーク要素のセルに関連したアクションを行うため第２ネットワーク要素から要求を受信し、及び／又はネットワーク要素のセルに関連したアクションを行うために中央ネットワーク要素からコマンドを受信する受信手段５２を備えたネットワーク要素である。装置４０は、更に、少なくとも受信したインパクト情報、コマンド、又は要求の少なくとも１つに基づき、ネットワーク要素のセルに関連したアクションを行うためのアクション実行手段５３も備えている。
【０１７３】
この実施形態によれば、計算手段５１は、アクションを行うためのペナルティ／利益を計算し、受信したインパクト情報及び計算したペナルティ／利益情報に基づいて正味利益を計算し、及び／又は計算した正味利益に基づいてアクションを行うべきかどうか決定する。又、装置４０は、アクションが行われる特定のリソースを決定することによりアクションを行うべきかどうか決定するための決定手段５４も備えている。更に、一実施形態において、アクションを行うべきかどうか決定する決定手段５４は、更に、少なくとも１つの他のネットワーク要素から正味利益情報を受信し、そして計算した正味利益と、少なくとも１つの他のネットワーク要素から受信した正味利益情報との比較に基づいてアクションを行うべきかどうか決定する。一実施形態において、送信手段５０は、アクションを行う決定の通知を少なくとも１つの他のネットワーク要素に通信する。
【０１７４】
別の実施形態では、装置４０は、例えば、コアネットワーク要素のような集中型ネットワーク要素である。この実施形態によれば、受信手段５２は、第１のネットワーク要素のセルに関連したアクションを行うとき又は第２のネットワーク要素のセルに関連したアクションを行うとき第１のネットワーク要素のセルに対するインパクト情報を第１のネットワーク要素から受信し、及び／又は第２のネットワーク要素のセルに関連したアクションを行う要求を受信する。送信手段５０は、次いで、例えば、第２ネットワーク要素のセルに関連したアクションを行うコマンドを、その受信したインパクト情報及び／又は要求に基づいて送信する。インパクト情報は、利益情報、ペナルティ情報、又は正味利益情報の少なくとも１つを含む。
【０１７５】
種々の実施形態において、利益／ペナルティ情報及び／又は正味利益情報は、サービス品質特性の指示を含み、及び／又はビームフォーミング係数の指示又はビームフォーミング重み又はビームフォーミング方向指示、等を含む。
【０１７６】
ある実施形態では、ここに開示するいずれの方法の機能も、メモリ又は他のコンピュータ読み取り可能な媒体又は有形媒体に記憶されそしてプロセッサにより実行されるソフトウェア及び／又はコンピュータプログラムコードにより実施される。他の実施形態では、機能は、ハードウェアにより実行され、例えば、特定用途向け集積回路（ＡＳＩＣ）、プログラマブルゲートアレイ（ＰＧＡ）、フィールドプログラマブルゲートアレイ（ＦＰＧＡ）、又はハードウェア及びソフトウェアの他の組み合わせを通して実行される。
【０１７７】
当業者であれば、上述した本発明は、異なる順序のステップで、及び／又は前記とは異なる構成のハードウェア要素で、実施できることが容易に理解されよう。それ故、本発明は、好ましい実施形態に基づいて説明したが、当業者であれば、本発明の精神及び範囲内で多数の修正、変更及び別の構造が明らかとなろう。それ故、本発明の範囲及び境界を決定するためには、特許請求の範囲を参照されたい。
【符号の説明】
【０１７８】
１：セル
２、３、２’、３’、２”、３”：隣接セクタ
１０：装置
１４：メモリ
２２：プロセッサ
２８：トランシーバ
４０：装置
５０：送信手段
５１：計算手段
５２：受信手段
５３：アクション実行手段
５４：決定手段
６００：ローカルミューティングアダプタ
７００：ネットワーク要素
１８００、１８０５：セル
【図１】
2016535537.tif 000003
【図２】
2016535537.tif 000004
【図３】
2016535537.tif 000005
【図４】
2016535537.tif 000006
【図５】
2016535537.tif 000007
【図６（ｂ）】
2016535537.tif 000008
【図８】
2016535537.tif 000009
【図９】
2016535537.tif 000010
【図１０】
2016535537.tif 000011
【図１１】
2016535537.tif 000012
【図１２ａ】
2016535537.tif 000013
【図１２ｂ】
2016535537.tif 000014
【図１３】
2016535537.tif 000015
【図１４】
2016535537.tif 000016
【図１５】
2016535537.tif 000017
【図１６】
2016535537.tif 000018
【図１７】
2016535537.tif 000019
【図１８】
2016535537.tif 000020
【図１９】
2016535537.tif 000021
【図２２】
2016535537.tif 000022
【図６（ａ）】
2016535537.tif 000023
【図７】
2016535537.tif 000024
【図２０】
2016535537.tif 000025
【図２１】
2016535537.tif 000026
【手続補正書】
【提出日】平成28年5月6日(2016.5.6)
【手続補正１】
【補正対象書類名】特許請求の範囲
【補正対象項目名】全文
【補正方法】変更
【補正の内容】
【特許請求の範囲】
【請求項１】
ネットワーク要素のセルに関連したアクションを行うとき及び／又は第２のネットワーク要素のセルに関連したアクションを行うときネットワーク要素のセルに対して計算されたインパクト情報、及び
前記第２のネットワーク要素のセルに関連したアクションを行うための要求、
のうちの少なくとも１つを送信するための送信手段、
を備えたネットワーク要素。
【請求項２】
前記アクションは、
送信をミュートすること、
オン期間を変更すること、
送信電力を減少すること、又は
送信をビームフォーミングすること、
のうちの少なくとも１つを含む、請求項１に記載のネットワーク要素。
【請求項３】
前記インパクト情報は、利益／ペナルティ情報を含み、
前記利益／ペナルティ情報は、更に、要素のリストを含み、そして前記要素の各々は、リソースのセットに対する利益／ペナルティ情報に関する情報を表す、請求項１又は２に記載のネットワーク要素。
【請求項４】
前記ネットワーク要素は、更に、
前記計算されたインパクト情報に基づいて正味利益を計算するための計算手段、
を備え、前記送信手段は、その正味利益を前記第２のネットワーク要素に送信する、請求項１から３のいずれかに記載のネットワーク要素。
【請求項５】
前記インパクト情報は、プライオリティファクタを含み、
前記プライオリティファクタは、
物理的ダウンリンク制御チャンネル／エンハンスト物理的ダウンリンク制御チャンネルの混雑、
レンジ拡張の使用、
チャンネルの形式、及び
データチャンネル送信のサービス品質特性、
のうちの少なくとも１つに基づく、請求項１から４のいずれかに記載のネットワーク要素。
【請求項６】
第２のネットワーク要素のセルに関連したアクションを行うとき及び／又はネットワーク要素のセルに関連したアクションを行うときの第２のネットワーク要素のセルに対するインパクト情報、
前記ネットワーク要素のセルに関連したアクションを行うための前記第２のネットワーク要素からの要求、及び
前記ネットワーク要素のセルに関連したアクションを行うための中央ネットワーク要素からのコマンド、
のうちの少なくとも１つを受信するための受信手段；及び
受信した前記インパクト情報、コマンド、又は要求のうちの少なくとも１つに基づいてネットワーク要素のセルに関連したアクションを行うためのアクション実行手段；
を備えたネットワーク要素。
【請求項７】
前記受信したインパクト情報及び計算されたペナルティ／利益情報に基づきアクションを行うためのペナルティ／利益、及び正味利益を計算するための計算手段；及び
前記計算された正味利益に基づきアクションを行うかどうか決定するための決定手段；
前記計算された正味利益を少なくとも１つの他のネットワーク要素に送信する送信手段を更に備えた、請求項６に記載のネットワーク要素。
【請求項８】
ネットワーク要素のセルに関連したアクションを行い及び／又は第２のネットワーク要素のセルに関連したアクションを行うときにネットワーク要素のセルに対して計算されたインパクト情報、及び
前記第２のネットワーク要素のセルに関連したアクションを行う要求、
のうちの少なくとも１つをネットワーク要素により送信することを含む方法。
【請求項９】
前記アクションは、
送信をミュートすること、
オン期間を変更すること、
送信電力を減少すること、又は
送信をビームフォーミングすること、
のうちの少なくとも１つを含む、請求項８に記載の方法。
【請求項１０】
前記インパクト情報は、利益／ペナルティ情報を含む、請求項８又は９に記載の方法。
【請求項１１】
前記計算されたインパクト情報に基づいて正味利益を計算し、及び
その正味利益を前記第２のネットワーク要素に送信する、
ことを更に含む、請求項８から１０のいずれかに記載の方法。
【請求項１２】
第２のネットワーク要素のセルに関連したアクションを行うとき及び／又はネットワーク要素のセルに関連したアクションを行うときの第２のネットワーク要素のセルに対するインパクト情報、
前記ネットワーク要素のセルに関連したアクションを行うための前記第２のネットワーク要素からの要求、及び
前記ネットワーク要素のセルに関連したアクションを行うための中央ネットワーク要素からのコマンド、
のうちの少なくとも１つをネットワーク要素により受信し；及び
受信した前記インパクト情報、コマンド、又は要求のうちの少なくとも１つに基づいてネットワーク要素のセルに関連したアクションを行う；
ことを含む方法。
【請求項１３】
アクションを行うためのペナルティ／利益を計算し、
前記受信したインパクト情報及び前記計算されたペナルティ／利益情報に基づいて正味利益を計算し、及び
前記計算された正味利益に基づきアクションを行うかどうか決定する、
ことを更に含む、請求項１２に記載の方法。
【請求項１４】
アクションを行うべきかどうかの前記決定は、更に、
少なくとも１つの他のネットワーク要素から正味利益情報を受信し；及び
前記計算された正味利益と、前記少なくとも１つの他のネットワーク要素から受信した正味利益情報との比較に基づき、アクションを行うことを決定する；
ことを含む、請求項１３に記載の方法。
【請求項１５】
第１のネットワーク要素のセルに関連したアクションを行うとき又は第２のネットワーク要素のセルに関連したアクションを行うときの第１のネットワーク要素のセルに対するインパクト情報、及び
前記第１のネットワーク要素のセル又は第２のネットワーク要素のセルに関連したアクションを行うための要求、
のうちの少なくとも１つを第１のネットワーク要素から集中型ネットワーク要素によって受信し；及び
前記受信したインパクト情報及び／又は要求に基づいて前記第１のネットワーク要素のセル又は第２のネットワーク要素のセルに関連したアクションを行うためのコマンドを送信する；
ことを含む方法。
【国際調査報告】
2016535537.tif 000027
2016535537.tif 000028
2016535537.tif 000029
2016535537.tif 000030